(57)【要約】この出願の実施形態は、ワイヤレス通信方法および装置を提供し、通信分野に関し、キャリアアグリゲーションシナリオにおいて端末デバイスによってＰＤＣＣＨを監視する電力消費を低減する。方法は、端末デバイスによって、第１のサービングセル上でインジケーション情報を受信することと、端末デバイスによって、前記インジケーション情報がＰＤＣＣＨを監視すべきでないことを示す場合に第１の処理を実施することであって、第１の処理が、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、もしくは少なくとも１つの第２のサービングセルのためにＰＤＣＣＨを監視しないことのうちの少なくとも１つを含む、こと、または、端末デバイスによって、インジケーション情報がＰＤＣＣＨを監視すべきことを示す場合に第２の処理を実施することであって、第２の処理が、第１のサービングセル上でＰＤＣＣＨを監視すること、少なくとも１つの第２のサービングセル上でＰＤＣＣＨを監視すること、第１のサービングセルのためにＰＤＣＣＨを監視すること、もしくは少なくとも１つの第２のサービングセルのためにＰＤＣＣＨを監視することのうちの少なくとも１つを含む、こととを含む。この出願の実施形態は、端末デバイスがＰＤＣＣＨを監視するか、またはＤＲＸサイクル中のＰＤＣＣＨを監視しないプロセスに適用される。
2022501894.tif 000002
【特許請求の範囲】
【請求項１】
ワイヤレス通信方法であって、
端末デバイスによって、第１のサービングセル上でインジケーション情報を受信することと、
前記端末デバイスによって、前記インジケーション情報が物理ダウンリンク制御チャネルＰＤＣＣＨを監視すべきでないことを示す場合に第１の処理を実施することであって、前記第１の処理が、前記第１のサービングセル上でＰＤＣＣＨを監視しないこと、少なくとも１つの第２のサービングセル中でＰＤＣＣＨを監視しないこと、前記第１のサービングセルのためにＰＤＣＣＨを監視しないこと、もしくは前記少なくとも１つの第２のサービングセルのためにＰＤＣＣＨを監視しないことのうちの少なくとも１つを含む、こと、または、
前記端末デバイスによって、前記インジケーション情報がＰＤＣＣＨを監視すべきことを示す場合に第２の処理を実施することであって、前記第２の処理が、前記第１のサービングセル上でＰＤＣＣＨを監視すること、前記少なくとも１つの第２のサービングセル上でＰＤＣＣＨを監視すること、前記第１のサービングセルのためにＰＤＣＣＨを監視すること、もしくは前記少なくとも１つの第２のサービングセルのためにＰＤＣＣＨを監視することのうちの少なくとも１つを含む、ことと
を含むワイヤレス通信方法。
【請求項２】
前記端末デバイスによって、第１のサービングセル上でインジケーション情報を受信することは、
前記端末デバイスによって、第１のタイマーの実行持続時間中に前記第１のサービングセル上で前記インジケーション情報を受信することを含み、
前記端末デバイスによって、前記インジケーション情報がＰＤＣＣＨを監視すべきでないことを示す場合に第１の処理を実施することは、
前記端末デバイスが前記インジケーション情報を受信した後に、前記端末デバイスによって、前記第１のタイマーの前記実行持続時間中に、もしくは前記第１のタイマーの前記実行持続時間中に、および前記第１のタイマーが開始されたｎ個の連続する時間の後の実行持続時間中に前記第１の処理を実施することであって、ｎは１以上の整数であることを含むか、または、
前記端末デバイスによって、前記インジケーション情報がＰＤＣＣＨを監視すべきことを示す場合に第２の処理を実施することは、
前記端末デバイスが前記インジケーション情報を受信した後に、前記端末デバイスによって、前記第１のタイマーの前記実行持続時間中に、もしくは前記第１のタイマーの前記実行持続時間中に、および前記第１のタイマーが開始されたｍ個の連続する時間の後の実行持続時間中に前記第２の処理を実施することであって、ｍは１以上の整数であることを含む、請求項１に記載のワイヤレス通信方法。
【請求項３】
前記端末デバイスによって、第１のサービングセル上でインジケーション情報を受信することは、
前記端末デバイスによって、第１のタイマーの実行持続時間中に前記第１のサービングセル上で前記インジケーション情報を受信することを含み、
前記端末デバイスによって、前記インジケーション情報がＰＤＣＣＨを監視すべきでないことを示す場合に第１の処理を実施することは、
前記端末デバイスによって、前記インジケーション情報を受信した後に前記第１のタイマーを停止することをさらに含む、請求項１に記載のワイヤレス通信方法。
【請求項４】
前記端末デバイスによって、前記インジケーション情報がＰＤＣＣＨを監視すべきでないことを示す場合に第１の処理を実施することは、
前記端末デバイスによって、前記端末デバイスが前記インジケーション情報を受信した後の第１の時間期間中に前記第１の処理を実施することを含み、前記第１のサービングセルおよび／もしくは前記少なくとも１つの第２のサービングセルに対応する第１の時間期間の時間長さは、同じであるかもしくは異なり、または、
前記端末デバイスによって、前記インジケーション情報がＰＤＣＣＨを監視すべきことを示す場合に第２の処理を実施することは、
前記端末デバイスによって、前記端末デバイスが前記インジケーション情報を受信した後の第２の時間期間中に前記第２の処理を実施することを含み、前記第１のサービングセルおよび／もしくは前記少なくとも１つの第２のサービングセルに対応する第２の時間期間の時間長さは、同じであるかもしくは異なる、請求項１に記載のワイヤレス通信方法。
【請求項５】
前記端末デバイスによって、第１のサービングセル上でインジケーション情報を受信することは、
前記端末デバイスによって、第１のＤＲＸサイクルのオン持続時間期間の前に前記第１のサービングセル上で前記インジケーション情報を受信することを含み、
前記端末デバイスによって、前記インジケーション情報がＰＤＣＣＨを監視すべきでないことを示す場合に第１の処理を実施することは、
前記インジケーション情報を受信した後に、前記端末デバイスによって、前記第１のＤＲＸサイクルの前記オン持続時間期間中に前記第１の処理を実施すること、もしくは前記第１のＤＲＸサイクルのオン持続時間期間中に、および第前記１のＤＲＸサイクルの後の少なくとも１つのＤＲＸサイクルのオン持続時間期間中に前記第１の処理を実施することを含むか、または、
前記端末デバイスによって、前記インジケーション情報がＰＤＣＣＨを監視すべきことを示す場合に前記第２の処理を実施することは、
前記インジケーション情報を受信した後に、前記端末デバイスによって、前記第１のＤＲＸサイクルの前記オン持続時間期間中に前記第２の処理を実施すること、もしくは前記第１のＤＲＸサイクルの前記オン持続時間期間中に、および前記第１のＤＲＸサイクルの後の少なくとも１つのＤＲＸサイクルのオン持続時間期間中に前記第２の処理を実施することを含む、請求項１に記載のワイヤレス通信方法。
【請求項６】
前記インジケーション情報が前記第１のサービングセルおよび／もしくは前記少なくとも１つの第２のサービングセル上で前記ＰＤＣＣＨを監視すべきでないことを示し、前記第１のサービングセルおよび／もしくは前記少なくとも１つの第２のサービングセルがプライマリセルＰＣｅｌｌを含む場合、前記端末デバイスによって、第１の処理を実施することは、
前記端末デバイスによって、前記端末デバイスのすべてのサービングセル上でＰＤＣＣＨを監視することをスキップすることを含み、前記すべてのサービングセルは、前記第１のサービングセルおよび前記少なくとも１つの第２のサービングセルを含むか、または、
前記インジケーション情報が前記第１のサービングセルおよび／もしくは前記少なくとも１つの第２のサービングセル上で前記ＰＤＣＣＨを監視すべきことを示し、前記第１のサービングセルおよび／もしくは前記少なくとも１つの第２のサービングセルが前記ＰＣｅｌｌを含む場合、前記端末デバイスによって、第２の処理を実施することは、
前記端末デバイスによって、前記端末デバイスのすべてのサービングセル上でＰＤＣＣＨを監視することを含み、前記すべてのサービングセルは、前記第１のサービングセルおよび前記少なくとも１つの第２のサービングセルを含む、請求項１乃至５のいずれか１項に記載のワイヤレス通信方法。
【請求項７】
前記インジケーション情報は、前記第１のサービングセルおよび／もしくは前記少なくとも１つの第２のサービングセルに対応する１つ／複数のインデックスを含むか、または前記インジケーション情報は、前記第１のサービングセルおよび／もしくは前記少なくとも１つの第２のサービングセルを示すために使用されるビットマップを含む、請求項１乃至６のいずれか１項に記載のワイヤレス通信方法。
【請求項８】
前記インジケーション情報が前記ＰＤＣＣＨを監視すべきでないことを示す場合、前記インジケーション情報は、前記第１の処理を実施するための時間情報を示すためにさらに使用されるか、または前記インジケーション情報が前記ＰＤＣＣＨを監視すべきことを示す場合、前記インジケーション情報は、前記第２の処理を実施するための時間情報を示すためにさらに使用される、請求項１乃至７のいずれか１項に記載のワイヤレス通信方法。
【請求項９】
前記時間情報は、前記第１のサービングセルおよび／もしくは前記少なくとも１つの第２のサービングセルの各々に対応する時間長さを含むか、または前記時間情報は、前記第１のサービングセルおよび／もしくは前記少なくとも１つの第２のサービングセルに対応する１つの時間長さを含む、請求項８に記載のワイヤレス通信方法。
【請求項１０】
請求項１乃至９のいずれか１項に記載のワイヤレス通信方法を実装するために構成された装置。
【請求項１１】
プロセッサおよびメモリを備え、前記メモリは命令を記憶し、前記プロセッサは前記命令を呼び出し、実行し、請求項１乃至９のいずれか１項に記載のワイヤレス通信方法を実施することを可能にされた装置。
【請求項１２】
命令を含み、前記命令がコンピュータ上で実行されたとき、前記コンピュータは、請求項１乃至９のいずれか１項に記載のワイヤレス通信方法を実施することを可能にされるコンピュータ可読記憶媒体。
【請求項１３】
ワイヤレス通信方法であって、
ネットワークデバイスによって、第１のサービングセル上でインジケーション情報を送信することと、
前記ネットワークデバイスによって、前記インジケーション情報がＰＤＣＣＨを監視すべきでないことを示す場合に第３の処理を実施することであって、前記第３の処理は、
前記第１のサービングセル上でＰＤＣＣＨを送信しないこと、少なくとも１つの第２のサービングセル上でＰＤＣＣＨを送信しないこと、前記第１のサービングセルのためにＰＤＣＣＨを送信しないこと、もしくは前記少なくとも１つの第２のサービングセルのためにＰＤＣＣＨを送信しないことのうちの少なくとも１つを含む、こと、または、
前記端末デバイスによって、前記インジケーション情報がＰＤＣＣＨを監視すべきことを示す場合に第４の処理を実施することであって、前記第４の処理は、前記第１のサービングセル上でＰＤＣＣＨを送信すること、前記少なくとも１つの第２のサービングセル上でＰＤＣＣＨを送信すること、前記第１のサービングセルのためにＰＤＣＣＨを送信すること、もしくは前記少なくとも１つの第２のサービングセルのためにＰＤＣＣＨを送信することのうちの少なくとも１つを含む、ことと
を含む方法。
【請求項１４】
前記ネットワークデバイスによって、第１のサービングセル上でインジケーション情報を送信することは、
前記ネットワークデバイスによって、第１のタイマーの実行持続時間中に前記第１のサービングセル上で前記インジケーション情報を送信することを含み、
前記ネットワークデバイスによって、前記インジケーション情報がＰＤＣＣＨを監視すべきでないことを示す場合に第３の処理を実施することは、
前記ネットワークデバイスが前記インジケーション情報を送信した後に、前記ネットワークデバイスによって、前記第１のタイマーの前記実行持続時間中に、もしくは前記第１のタイマーの前記実行持続時間中に、および前記第１のタイマーが開始されたｎ個の連続する時間の後の実行持続時間中に前記第３の処理を実施することを含み、ｎは１以上の整数であるか、または、
前記ネットワークデバイスによって、前記インジケーション情報がＰＤＣＣＨを監視すべきことを示す場合に第４の処理を実施することは、
前記ネットワークデバイスがインジケーション情報を送信した後に、前記ネットワークデバイスによって、前記第１のタイマーの前記実行持続時間中に、もしくは前記第１のタイマーの前記実行持続時間中に、および前記第１のタイマーが開始されたｍ個の連続する時間の後の実行持続時間中に前記第４の処理を実施することを含み、ｍは１以上の整数である、請求項１３に記載の方法。
【請求項１５】
前記ネットワークデバイスによって、前記第１のサービングセル上で前記インジケーション情報を送信することは、
前記ネットワークデバイスによって、第１のタイマーの実行持続時間中に前記第１のサービングセル上で前記インジケーション情報を送信することを含み、
前記ネットワークデバイスによって、前記インジケーション情報がＰＤＣＣＨを監視すべきでないことを示す場合に第３の処理を実施することは、
前記ネットワークデバイスによって、前記インジケーション情報を送信した後に前記第１のタイマーを停止することをさらに含む、請求項１３に記載の方法。
【請求項１６】
前記ネットワークデバイスによって、前記インジケーション情報がＰＤＣＣＨを監視すべきでないことを示す場合に第３の処理を実施することは、
前記ネットワークデバイスによって、前記ネットワークデバイスが前記インジケーション情報を送信した後の第１の時間期間中に前記第３の処理を実施することを含み、前記第１のサービングセルおよび／もしくは前記少なくとも１つの第２のサービングセルに対応する第１の時間期間の時間長さは、同じであるかもしくは異なり、または、
前記端末デバイスによって、前記インジケーション情報がＰＤＣＣＨを監視すべきことを示す場合に前記第４の処理を実施することは、
前記ネットワークデバイスによって、前記ネットワークデバイスが前記インジケーション情報を送信した後の第２の時間期間中に前記第４の処理を実施することを含み、前記第１のサービングセルおよび／もしくは前記少なくとも１つの第２のサービングセルに対応する第２の時間期間の時間長さは、同じであるかもしくは異なる、請求項１３に記載の方法。
【請求項１７】
前記ネットワークデバイスによって、第１のサービングセル上でインジケーション情報を送信することは、
前記ネットワークデバイスによって、第１のＤＲＸサイクルのオン持続時間期間の前に前記第１のサービングセル上で前記インジケーション情報を送信することを含み、
前記ネットワークデバイスによって、前記インジケーション情報がＰＤＣＣＨを監視すべきでないことを示す場合に第３の処理を実施することは、
前記インジケーション情報を送信した後に、前記ネットワークデバイスによって、前記第１のＤＲＸサイクルの前記オン持続時間期間中に前記第３の処理を実施すること、もしくは前記第１のＤＲＸサイクルの前記オン持続時間期間中に、および前記第１のＤＲＸサイクルの後の少なくとも１つのＤＲＸサイクルのオン持続時間期間中に前記第３の処理を実施することを含むか、または、
前記ネットワークデバイスによって、前記インジケーション情報がＰＤＣＣＨを監視すべきことを示す場合に第４の処理を実施することは、
前記インジケーション情報を送信した後に、前記ネットワークデバイスによって、前記第１のＤＲＸサイクルの前記オン持続時間期間中に前記第４の処理を実施すること、もしくは前記第１のＤＲＸサイクルの前記オン持続時間期間中に、および前記第１のＤＲＸサイクルの後の少なくとも１つのＤＲＸサイクルのオン持続時間期間中に前記第４の処理を実施することを含む、請求項１３に記載の方法。
【請求項１８】
前記インジケーション情報が前記第１のサービングセルおよび／もしくは前記少なくとも１つの第２のサービングセル上で前記ＰＤＣＣＨを監視すべきでないことを示し、前記第１のサービングセルおよび／もしくは前記少なくとも１つの第２のサービングセルがＰＣｅｌｌを含む場合、前記ネットワークデバイスによって、第３の処理を実施することは、
前記ネットワークデバイスによって、前記端末デバイスのすべてのサービングセル上でＰＤＣＣＨを送信することをスキップすることを含み、前記すべてのサービングセルは、前記第１のサービングセルおよび前記少なくとも１つの第２のサービングセルを含むか、または、
前記インジケーション情報が前記第１のサービングセルおよび／もしくは前記少なくとも１つの第２のサービングセル上でＰＤＣＣＨを監視すべきことを示し、前記第１のサービングセルおよび／もしくは前記少なくとも１つの第２のサービングセルがＰＣｅｌｌを含む場合、前記ネットワークデバイスによって、第４の処理を実施することは、
前記ネットワークデバイスによって、前記端末デバイスのすべてのサービングセル上でＰＤＣＣＨを送信することを含み、前記すべてのサービングセルは、前記第１のサービングセルおよび前記少なくとも１つの第２のサービングセルを含む、請求項１３乃至１７のいずれか１項に記載のワイヤレス通信方法。
【請求項１９】
前記インジケーション情報は、前記第１のサービングセルおよび／もしくは前記少なくとも１つの第２のサービングセルに対応する１つ／複数のインデックスを含むか、または、前記インジケーション情報は、前記第１のサービングセルおよび／もしくは前記少なくとも１つの第２のサービングセルを示すために使用されるビットマップを含む、請求項１３乃至１８のいずれか１項に記載のワイヤレス通信方法。
【請求項２０】
前記時間情報は、前記第１のサービングセルおよび／もしくは前記少なくとも１つの第２のサービングセルの各々に対応する時間長さを含むか、または、前記時間情報は、前記第１のサービングセルおよび／もしくは前記少なくとも１つの第２のサービングセルに対応する１つの時間長さを含む、請求項１３乃至１９のいずれか１項に記載のワイヤレス通信方法。
【請求項２１】
端末デバイスであって、
第１のサービングセル上でインジケーション情報を受信するように構成された、受信ユニットと、
監視ユニットであって、
前記インジケーション情報が物理ダウンリンク制御チャネルＰＤＣＣＨを監視すべきでないことを示す場合に第１の処理を実施するように構成され、前記第１の処理が、前記第１のサービングセル上でＰＤＣＣＨを監視しないこと、少なくとも１つの第２のサービングセル上でＰＤＣＣＨを監視しないこと、前記第１のサービングセルのためにＰＤＣＣＨを監視しないこと、もしくは、前記少なくとも１つの第２のサービングセルのためにＰＤＣＣＨを監視しないことのうちの少なくとも１つを含み、または、
前記インジケーション情報がＰＤＣＣＨを監視すべきことを示す場合に第２の処理を実施するように構成され、前記第２の処理が、前記第１のサービングセル上でＰＤＣＣＨを監視すること、少なくとも１つの第２のサービングセル上でＰＤＣＣＨを監視すること、前記第１のサービングセルのためにＰＤＣＣＨを監視すること、もしくは、前記少なくとも１つの第２のサービングセルのためにＰＤＣＣＨを監視することのうちの少なくとも１つを含む、監視ユニットと
を備える端末デバイス。
【請求項２２】
前記受信ユニットは、第１のタイマーの実行持続時間中に前記第１のサービングセル上で前記インジケーション情報を受信するように構成され、
前記インジケーション情報が前記ＰＤＣＣＨを監視すべきでないことを示す場合、前記監視ユニットは、前記受信ユニットが前記インジケーション情報を受信した後に、前記第１のタイマーの前記実行持続時間中に、もしくは前記第１のタイマーの前記実行持続時間中に、および前記第１のタイマーが開始されたｎ個の連続する時間の後の実行持続時間中に前記第１の処理を実施するように構成され、ｎは１以上の整数であるか、または、
前kインジケーション情報が前記ＰＤＣＣＨを監視すべきことを示す場合、前記監視ユニットは、前記受信ユニットが前記インジケーション情報を受信した後に、前記第１のタイマーの前記実行持続時間中に、もしくは前記第１のタイマーの前記実行持続時間中に、および前記第１のタイマーが開始されたｍ個の連続する時間の後の実行持続時間中に前記第２の処理を実施するように構成され、ｍは１以上の整数である、請求項２１に記載の端末デバイス。
【請求項２３】
前記受信ユニットは、第１のタイマーの実行持続時間中に前記第１のサービングセル上で前記インジケーション情報を受信するように構成され、
前記インジケーション情報がＰＤＣＣＨを監視すべきでないことを示す場合、前記監視ユニットは、前記受信ユニットが前記インジケーション情報を受信した後に、前記第１のタイマーを停止するように構成された、請求項２１に記載の端末デバイス。
【請求項２４】
前記インジケーション情報が前記ＰＤＣＣＨを監視すべきでないことを示す場合、前記監視ユニットは、前記受信ユニットが前記インジケーション情報を受信した後の第１の時間期間中に前記第１の処理を実施するように構成され、前記第１のサービングセルおよび／もしくは前記少なくとも１つの第２のサービングセルに対応する第１の時間期間の時間長さは、同じであるかもしくは異なり、または、
前記インジケーション情報が前記ＰＤＣＣＨを監視すべきことを示す場合、前記監視ユニットは、前記受信ユニットが前記インジケーション情報を受信した後の第２の時間期間中に前記第２の処理を実施するように構成され、前記第１のサービングセルおよび／もしくは前記少なくとも１つの第２のサービングセルに対応する第２の時間期間の時間長さは、同じであるかもしくは異なる、請求項２１に記載の端末デバイス。
【請求項２５】
前記受信ユニットは、第１のＤＲＸサイクルのオン持続時間期間の前に前記第１のサービングセル上で前記インジケーション情報を受信するように構成され、
前記インジケーション情報がＰＤＣＣＨを監視すべきでないことを示す場合、前記監視ユニットが第１の処理を実施することは、
前記受信ユニットが前記インジケーション情報を受信した後に、前記第１のＤＲＸサイクルの前記オン持続時間期間中に前記第１の処理を実施するか、もしくは、前記第１のＤＲＸサイクルの前記オン持続時間期間中に、および前記第１のＤＲＸサイクルの後の少なくとも１つのＤＲＸサイクルのオン持続時間期間中に前記第１の処理を実施することを含み、または、
前記インジケーション情報がＰＤＣＣＨを監視すべきことを示す場合、前記監視ユニットが第１の処理を実施することは、
前記受信ユニットがインジケーション情報を受信した後に、前記第１のＤＲＸサイクルの前記オン持続時間期間中に第２の処理を実施するか、もしくは、前記第１のＤＲＸサイクルの前記オン持続時間期間中に、および前記第１のＤＲＸサイクルの後の少なくとも１つのＤＲＸサイクルのオン持続時間期間中に前記第２の処理を実施することを含む、請求項２１に記載の端末デバイス。
【請求項２６】
前記インジケーション情報が前記第１のサービングセルおよび／もしくは前記少なくとも１つの第２のサービングセル上で前記ＰＤＣＣＨを監視すべきでないことを示し、前記第１のサービングセルおよび／もしくは前記少なくとも１つの第２のサービングセルがプライマリセルＰＣｅｌｌを含む場合、前記監視ユニットは、前記端末デバイスのすべてのサービングセル上でＰＤＣＣＨを監視することをスキップするように構成され、前記すべてのサービングセルは、前記第１のサービングセルおよび前記少なくとも１つの第２のサービングセルを含むか、または、
前記インジケーション情報が前記第１のサービングセルおよび／もしくは前記少なくとも１つの第２のサービングセル上で前記ＰＤＣＣＨを監視すべきことを示し、前記第１のサービングセルおよび／もしくは前記少なくとも１つの第２のサービングセルが前記ＰＣｅｌｌを含む場合、前記監視ユニットは、前記端末デバイスのすべてのサービングセル上でＰＤＣＣＨを監視するように構成され、前記すべてのサービングセルは、前記第１のサービングセルおよび前記少なくとも１つの第２のサービングセルを含む、請求項２１乃至２５のいずれか１項に記載の端末デバイス。
【請求項２７】
前記インジケーション情報は、前記第１のサービングセルおよび／もしくは前記少なくとも１つの第２のサービングセルに対応する１つの／複数のインデックスを含むか、または、前記インジケーション情報は、前記第１のサービングセルおよび／もしくは前記少なくとも１つの第２のサービングセルを示すために使用されるビットマップを含む、請求項２１乃至２６のいずれか項に記載の端末デバイス。
【請求項２８】
前記インジケーション情報が前記ＰＤＣＣＨを監視すべきでないことを示す場合、前記インジケーション情報は、前記第１の処理を実施するための時間情報を示すためにさらに使用されるか、または、前記インジケーション情報が前記ＰＤＣＣＨを監視すべきことを示す場合、前記インジケーション情報は、前記第２の処理を実施するための時間情報を示すためにさらに使用される、請求項２１乃至２７のいずれか１項に記載の端末デバイス。
【請求項２９】
前記時間情報は、前記第１のサービングセルおよび／もしくは前記少なくとも１つの第２のサービングセルの各々に対応する時間長さを含むか、または、前記時間情報は、前記第１のサービングセルおよび／もしくは前記少なくとも１つの第２のサービングセルに対応する１つの時間長さを含む、請求項２８に記載の端末デバイス。
【請求項３０】
ネットワークデバイスであって、
第１のサービングセル上でインジケーション情報を送信するように構成された送信ユニットと、
処理ユニットであって、
前記インジケーション情報がＰＤＣＣＨを監視すべきでないことを示す場合に第３の処理を実施するように構成され、前記第３の処理が、前記第１のサービングセル上でＰＤＣＣＨを送信しないこと、前記少なくとも１つの第２のサービングセル上でＰＤＣＣＨを送信しないこと、前記第１のサービングセルのためにＰＤＣＣＨを送信しないこと、もしくは、前記少なくとも１つの第２のサービングセルのためにＰＤＣＣＨを送信しないことのうちの少なくとも１つを含み、または、
前記インジケーション情報がＰＤＣＣＨを監視すべきことを示す場合に第４の処理を実施するように構成され、前記第４の処理が、前記第１のサービングセル上でＰＤＣＣＨを送信すること、前記少なくとも１つの第２のサービングセル上でＰＤＣＣＨを送信すること、前記第１のサービングセルのためにＰＤＣＣＨを送信すること、もしくは、前記少なくとも１つの第２のサービングセルのためにＰＤＣＣＨを送信することのうちの少なくとも１つを含む、処理ユニットと
を備えるネットワークデバイス。
【請求項３１】
前記送信ユニットは、第１のタイマーの実行持続時間中に前記第１のサービングセル上で前記インジケーション情報を送信するように構成され、前記インジケーション情報が前記ＰＤＣＣＨを監視すべきでないことを示す場合、前記処理ユニットは、前記送信ユニットが前記インジケーション情報を送信した後に、前記第１のタイマーの前記実行持続時間中に、もしくは前記第１のタイマーの前記実行持続時間中に、および前記第１のタイマーが開始されたｎ個の連続する時間の後の実行持続時間中に前記第３の処理を実施するように構成され、ｎは１以上の整数であるか、または、前記インジケーション情報が前記ＰＤＣＣＨを監視すべきことを示す場合、前記処理ユニットは、前記送信ユニットが前記インジケーション情報を送信した後に、前記第１のタイマーの前記実行持続時間中に、もしくは前記第１のタイマーの前記実行持続時間中に、および前記第１のタイマーが開始されたｍ個の連続する時間の後の実行持続時間中に前記第４の処理を実施するように構成され、ｍは１以上の整数である、請求項３０に記載のネットワークデバイス。
【請求項３２】
前記送信ユニットは、第１のタイマーの実行持続時間中に前記第１のサービングセル上で前記インジケーション情報を送信するように構成され、前記インジケーション情報が前記ＰＤＣＣＨを監視すべきでないことを示す場合、前記処理ユニットは、前記送信ユニットが前記インジケーション情報を送信した後に、前記第１のタイマーを停止するようにさらに構成される、請求項３０に記載のネットワークデバイス。
【請求項３３】
前記インジケーション情報が前記ＰＤＣＣＨを監視すべきでないことを示す場合、前記処理ユニットは、前記送信ユニットが前記インジケーション情報を送信した後の第１の時間期間中に前記第３の処理を実施するように構成され、前記第１のサービングセルおよび／もしくは前記少なくとも１つの第２のサービングセルに対応する第１の時間期間の時間長さは、同じであるかもしくは異なり、または、前記インジケーション情報が前記ＰＤＣＣＨを監視すべきことを示す場合、前記処理ユニットは、前記送信ユニットが前記インジケーション情報を送信した後の第２の時間期間中に前記第４の処理を実施するように構成され、前記第１のサービングセルおよび／もしくは前記少なくとも１つの第２のサービングセルに対応する第２の時間期間の時間長さは、同じであるかもしくは異なる、請求項３０に記載のネットワークデバイス。
【請求項３４】
前記送信ユニットは、第１のＤＲＸサイクルのオン持続時間期間の前に前記第１のサービングセル上で前記インジケーション情報を送信するように構成され、前記インジケーション情報が前記ＰＤＣＣＨを監視すべきでないことを示す場合、前記処理ユニットは、前記送信ユニットが前記インジケーション情報を送信した後に、前記第１のＤＲＸサイクルの前記オン持続時間期間中に前記第３の処理を実施すること、もしくは前記第１のＤＲＸサイクルの前記オン持続時間期間中に、および前記第１のＤＲＸサイクルの後の少なくとも１つのＤＲＸサイクルのオン持続時間期間中に前記第３の処理を実施することを行うように構成されるか、または、前記インジケーション情報が前記ＰＤＣＣＨを監視すべきことを示す場合、前記処理ユニットは、前記送信ユニットが前記インジケーション情報を送信した後に、前記第１のＤＲＸサイクルの前記オン持続時間期間中に前記第４の処理を実施すること、もしくは前記第１のＤＲＸサイクルのオン持続時間期間中に、および前記第１のＤＲＸサイクルの後の少なくとも１つのＤＲＸサイクルのオン持続時間期間中に前記第４の処理を実施することを行うように構成される、請求項３０に記載のネットワークデバイス。
【請求項３５】
前記インジケーション情報が前記第１のサービングセルおよび／もしくは前記少なくとも１つの第２のサービングセル上で前記ＰＤＣＣＨを監視すべきでないことを示し、前記第１のサービングセルおよび／もしくは前記少なくとも１つの第２のサービングセルがＰＣｅｌｌを含む場合、前記処理ユニットは、前記送信ユニットを使用することによって、前記端末デバイスのすべてのサービングセル上でＰＤＣＣＨを送信することをスキップするように構成され、前記すべてのサービングセルは、前記第１のサービングセルおよび前記少なくとも１つの第２のサービングセルを含むか、または前記インジケーション情報が前記第１のサービングセルおよび／もしくは前記少なくとも１つの第２のサービングセル上で前記ＰＤＣＣＨを監視すべきことを示し、前記第１のサービングセルおよび／もしくは前記少なくとも１つの第２のサービングセルが前記ＰＣｅｌｌを含む場合、前記処理ユニットは、前記送信ユニットを使用することによって、前記端末デバイスのすべてのサービングセル上でＰＤＣＣＨを送信するように構成され、前記すべてのサービングセルは、前記第１のサービングセルおよび前記少なくとも１つの第２のサービングセルを含む、請求項３０乃至３４のいずれか１項に記載のネットワークデバイス。
【請求項３６】
前記インジケーション情報は、前記第１のサービングセルおよび／もしくは前記少なくとも１つの第２のサービングセルに対応する１つの／複数のインデックスを含むか、または、前記インジケーション情報は、前記第１のサービングセルおよび／もしくは前記少なくとも１つの第２のサービングセルを示すために使用されるビットマップを含む、請求項３０乃至３５のいずれか１項に記載のネットワークデバイス。
【請求項３７】
前記時間情報は、前記第１のサービングセルおよび／もしくは前記少なくとも１つの第２のサービングセルの各々に対応する時間長さを含むか、または、前記時間情報は、前記第１のサービングセルおよび／もしくは前記少なくとも１つの第２のサービングセルに対応する１つの時間長さを含む、請求項３０乃至３６のいずれか１項に記載のネットワークデバイス。
【請求項３８】
命令を含み、前記命令がコンピュータ上で実行されたとき、前記コンピュータは、請求項１３乃至２０のいずれか１項に記載のワイヤレス通信方法を実施することを可能にされるコンピュータ可読記憶媒体。
【請求項３９】
請求項１３乃至２０のいずれか１項に記載のワイヤレス通信方法を実施するように構成された装置。
【請求項４０】
プロセッサおよびメモリを備え、前記メモリは命令を記憶し、前記プロセッサは前記命令を呼び出し、実行し、請求項１３乃至２０のいずれか１項に記載のワイヤレス通信方法を実施することを可能にされた装置。
【発明の詳細な説明】
【技術分野】
【０００１】
本出願は、通信分野に関し、詳細には、ワイヤレス通信方法および装置に関する。
【背景技術】
【０００２】
ロングタームエボリューション（ｌｏｎｇ  ｔｅｒｍ  ｅｖｏｌｕｔｉｏｎ、ＬＴＥ）通信システムでは、間欠受信（ｄｉｓｃｏｎｔｉｎｕｏｕｓ  ｒｅｃｅｐｔｉｏｎ、ＤＲＸ）機能が定義される。端末デバイスが無線リソース制御（ｒａｄｉｏ  ｒｅｓｏｕｒｃｅ  ｃｏｎｔｒｏｌ、ＲＲＣ）接続（ｃｏｎｎｅｃｔｅｄ）モードにあるとき、端末デバイスの不要な電力消費量を低減するために、ＤＲＸは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）の挙動を監視するように端末デバイスを制御するために使用され得る。端末デバイスによってＰＤＣＣＨを監視する電力消費量をさらに低減するために、基地局は、端末デバイスが後続のいくつかのスロット（ｓｌｏｔ）中でＰＤＣＣＨを監視する必要がないことを端末デバイスに通知するための、インジケーション情報を送信し得る。
【０００３】
キャリアアグリゲーション（ｃａｒｒｉｅｒ  ａｇｇｒｅｇａｔｉｏｎ、ＣＡ）シナリオでは、端末デバイスは、プライマリセル（ｐｒｉｍａｒｙ  ｃｅｌｌ、ＰＣｅｌｌ）およびセカンダリセル（ｓｅｃｏｎｄａｒｙ  ｃｅｌｌ、ＳＣｅｌｌ）などの複数のサーバセルに同時に接続され得、端末デバイスは、ＰＣｅｌｌおよびＳＣｅｌｌなど複数のサーバセルに対応するキャリアユニットをアグリゲートして、送信レートが増加されることが可能なようにデータを送信し得る。
【０００４】
しかしながら、現在、キャリアアグリゲーションシナリオでは、端末デバイスによってＰＤＣＣＨを監視する電力消費量を低減するためのインジケーション情報を設計し、送信するための方法は提案されていない。
【発明の概要】
【０００５】
本出願の実施形態は、キャリアアグリゲーションシナリオにおいて端末デバイスによってＰＤＣＣＨを監視する電力消費量を低減するための、ワイヤレス通信方法および装置を提供する。
【０００６】
第１の態様によれば、本出願の実施形態は、ワイヤレス通信方法を提供し、本方法は、端末デバイスによって、第１のサービングセル上でインジケーション情報を受信することと、端末デバイスによって、インジケーション情報がＰＤＣＣＨを監視すべきでないことを示す場合に第１の処理を実施することであって、第１の処理が、第１のサービングセル上でＰＤＣＣＨを監視しないこと、少なくとも１つの第２のサービングセル中でＰＤＣＣＨを監視しないこと、第１のサービングセルのためにＰＤＣＣＨを監視しないこと、もしくは少なくとも１つの第２のサービングセルのためにＰＤＣＣＨを監視しないことのうちの少なくとも１つを含む、こと、または端末デバイスによって、インジケーション情報がＰＤＣＣＨを監視すべきことを示す場合に第２の処理を実施することであって、第２の処理が、第１のサービングセル上でＰＤＣＣＨを監視すること、少なくとも１つの第２のサービングセル上でＰＤＣＣＨを監視すること、第１のサービングセルのためにＰＤＣＣＨを監視すること、もしくは少なくとも１つの第２のサービングセルのためにＰＤＣＣＨを監視することのうちの少なくとも１つを含む、こととを含む。本出願のこの実施形態において提供される解決策によれば、端末デバイスが第１のサービングセル上でインジケーション情報を受信した後に、インジケーション情報がＰＤＣＣＨを監視すべきでないことを示す場合、端末デバイスは、端末デバイスによってＰＤＣＣＨを監視する電力消費量を低減するために、第１の処理を実施してよく、すなわち、対応してＰＤＣＣＨを監視しなくてよい。
【０００７】
第１のサービングセル中でＰＤＣＣＨを監視しないことは、第１のサービングセル上で、第１のサービングセルのためにＰＤＣＣＨを監視することをスキップすること、および端末デバイスの別のサービングセルのために第１のサービングセル上でＰＤＣＣＨを監視しないことのうちの少なくとも１つを含む。少なくとも１つの第２のサービングセル上でＰＤＣＣＨを監視しないことは、少なくとも１つの第２のサービングセル上の各サービングセルについて、サービングセルのためのＰＤＣＣＨがサービングセル上で監視されないこと、または端末デバイスの別のサービングセルのためのＰＤＣＣＨがサービングセル上で監視されないことを示す。第１のサービングセルのためにＰＤＣＣＨを監視しないことは、第１のサービングセル上で、第１のサービングセルのためにＰＤＣＣＨを監視することをスキップすること、および端末デバイスの別のサービングセル中で、第１のサービングセルのためにＰＤＣＣＨを監視することをスキップすることのうちの少なくとも１つを含む。少なくとも１つの第２のサービングセルのためにＰＤＣＣＨを監視しないことは、少なくとも１つの第２のサービングセル上の各サービングセルについて、サービングセルのためのＰＤＣＣＨがサービングセル上で監視されないこと、またはサービングセルのためのＰＤＣＣＨが端末デバイスの別のサービングセル中で監視されないことを示す。サービングセルのためのＰＤＣＣＨは、ＰＤＣＣＨによって示される送信がサービングセル上の送信であることを意味する。
【０００８】
第１のサービングセル上でＰＤＣＣＨを監視することは、第１のサービングセル上で、第１のサービングセルのためにＰＤＣＣＨを監視すること、および第１のサービングセル上で、端末デバイスの別のサービングセルのためにＰＤＣＣＨを監視することのうちの少なくとも１つを含む。少なくとも１つの第２のサービングセル上でＰＤＣＣＨを監視することは、少なくとも１つの第２のサービングセル上の各サービングセルについて、サービングセルのためのＰＤＣＣＨがサービングセル上で監視されること、または端末デバイスの別のサービングセルのためのＰＤＣＣＨがサービングセル上で監視されることを示す。第１のサービングセルのためにＰＤＣＣＨを監視することは、第１のサービングセル上で、第１のサービングセルのためにＰＤＣＣＨを監視すること、および端末デバイスの別のサービングセル上で、第１のサービングセルのためにＰＤＣＣＨを監視することのうちの少なくとも１つを含む。少なくとも１つの第２のサービングセルのためにＰＤＣＣＨを監視することは、少なくとも１つの第２のサービングセル上の各サービングセルについて、サービングセルのためのＰＤＣＣＨがサービングセル上で監視されること、またはサービングセルのためのＰＤＣＣＨが端末デバイスの別のサービングセル上で監視されることを示す。サービングセルのためのＰＤＣＣＨは、ＰＤＣＣＨによって示される送信がサービングセル中での送信であることを意味する。
【０００９】
可能な実装では、端末デバイスによって、第１のサービングセル上でインジケーション情報を受信することは、端末デバイスによって、第１のタイマーの実行持続時間中に第１のサービングセル上でインジケーション情報を受信することを含み、端末デバイスによって、インジケーション情報がＰＤＣＣＨを監視すべきでないことを示す場合に第１の処理を実施することは、端末デバイスがインジケーション情報を受信した後に、端末デバイスによって、第１のタイマーの実行持続時間中に、もしくは第１のタイマーの実行持続時間中に、および第１のタイマーが開始されたｎ個の連続する時間の後の実行持続時間中に第１の処理を実施することを含み、ｎは１以上の整数であるか、または端末デバイスによって、インジケーション情報がＰＤＣＣＨを監視すべきことを示す場合に第２の処理を実施することは、端末デバイスがインジケーション情報を受信した後に、端末デバイスによって、第１のタイマーの実行持続時間中に、もしくは第１のタイマーの実行持続時間中に、および第１のタイマーが開始されたｍ個の連続する時間の後の実行持続時間中に第２の処理を実施することを含み、ｍは１以上の整数である。
【００１０】
可能な実装では、端末デバイスによって、第１のサービングセル上でインジケーション情報を受信することは、端末デバイスによって、第１のタイマーの実行持続時間中に第１のサービングセル上でインジケーション情報を受信することを含み、端末デバイスによって、インジケーション情報がＰＤＣＣＨを監視すべきでないことを示す場合に第１の処理を実施することは、端末デバイスによって、インジケーション情報を受信した後に第１のタイマーを停止することをさらに含む。
【００１１】
第１のタイマーは、端末デバイスがＰＤＣＣＨを受信した後に端末デバイスによってＰＤＣＣＨを監視するための時間長さを判定するように構成されるか、または第１のタイマーは、間欠受信ＤＲＸサイクル中に端末デバイスによってＰＤＣＣＨを監視するための時間長さを判定するように構成される。
【００１２】
可能な実装では、端末デバイスによって、インジケーション情報がＰＤＣＣＨを監視すべきでないことを示す場合に第１の処理を実施することは、端末デバイスによって、端末デバイスがインジケーション情報を受信した後の第１の時間期間中に第１の処理を実施することを含み、第１のサービングセルおよび／もしくは少なくとも１つの第２のサービングセルに対応する第１の時間期間の時間長さは、同じであるかもしくは異なるか、または端末デバイスによって、インジケーション情報がＰＤＣＣＨを監視すべきことを示す場合に第２の処理を実施することは、端末デバイスによって、端末デバイスがインジケーション情報を受信した後の第２の時間期間中に第２の処理を実施することを含み、第１のサービングセルおよび／もしくは少なくとも１つの第２のサービングセルに対応する第２の時間期間の時間長さは、同じであるかもしくは異なる。
【００１３】
可能な実装では、端末デバイスによって、第１のサービングセル上でインジケーション情報を受信することは、端末デバイスによって、第１のＤＲＸサイクルのオン持続時間期間の前に第１のサービングセル上でインジケーション情報を受信することを含み、端末デバイスによって、インジケーション情報がＰＤＣＣＨを監視すべきでないことを示す場合に第１の処理を実施することは、インジケーション情報を受信した後に、端末デバイスによって、第１のＤＲＸサイクルのオン持続時間期間中に第１の処理を実施すること、もしくは第１のＤＲＸサイクルのオン持続時間期間中に、および第１のＤＲＸサイクルの後の少なくとも１つのＤＲＸサイクルのオン持続時間期間中に第１の処理を実施することを含むか、または端末デバイスによって、インジケーション情報がＰＤＣＣＨを監視すべきことを示す場合に第２の処理を実施することは、インジケーション情報を受信した後に、端末デバイスによって、第１のＤＲＸサイクルのオン持続時間期間中に第２の処理を実施すること、もしくは第１のＤＲＸサイクルのオン持続時間期間中に、および第１のＤＲＸサイクルの後の少なくとも１つのＤＲＸサイクルのオン持続時間期間中に第２の処理を実施することを含む。
【００１４】
可能な実装では、インジケーション情報が第１のサービングセルおよび／もしくは少なくとも１つの第２のサービングセル上でＰＤＣＣＨを監視すべきでないことを示し、第１のサービングセルおよび／もしくは少なくとも１つの第２のサービングセルがＰＣｅｌｌを含む場合、端末デバイスによって、第１の処理を実施することは、端末デバイスによって、端末デバイスのすべてのサービングセル上でＰＤＣＣＨを監視することをスキップすることを含み、すべてのサービングセルは、第１のサービングセルおよび少なくとも１つの第２のサービングセルを含むか、またはインジケーション情報が第１のサービングセルおよび／もしくは少なくとも１つの第２のサービングセル上でＰＤＣＣＨを監視すべきことを示し、第１のサービングセルおよび／もしくは少なくとも１つの第２のサービングセルがＰＣｅｌｌを含む場合、端末デバイスによって、第２の処理を実施することは、端末デバイスによって、端末デバイスのすべてのサービングセル上でＰＤＣＣＨを監視することを含み、すべてのサービングセルは、第１のサービングセルおよび少なくとも１つの第２のサービングセルを含む。
【００１５】
可能な実装では、インジケーション情報は、第１のサービングセルおよび／もしくは少なくとも１つの第２のサービングセルに対応する複数／１つのインデックスを含むか、またはインジケーション情報は、第１のサービングセルおよび／もしくは少なくとも１つの第２のサービングセルを示すために使用されるビットマップを含む。
【００１６】
可能な実装では、インジケーション情報がＰＤＣＣＨを監視すべきでないことを示す場合、インジケーション情報は、第１の処理を実施するための時間情報を示すためにさらに使用されるか、またはインジケーション情報がＰＤＣＣＨを監視すべきことを示す場合、インジケーション情報は、第２の処理を実施するための時間情報を示すためにさらに使用される。
【００１７】
可能な実装では、時間情報は、第１のサービングセルおよび／もしくは少なくとも１つの第２のサービングセルの各々に対応する時間長さを含むか、または時間情報は、第１のサービングセルおよび／もしくは少なくとも１つの第２のサービングセルに対応する１つの時間長さを含む。
【００１８】
第２の態様によれば、本出願の実施形態は、ワイヤレス通信方法を提供し、本方法は、ネットワークデバイスによって、第１のサービングセル上でインジケーション情報を送信することと、ネットワークデバイスによって、インジケーション情報がＰＤＣＣＨを監視すべきでないことを示す場合に第３の処理を実施することであって、第３の処理が、第１のサービングセル上でＰＤＣＣＨを送信しないこと、少なくとも１つの第２のサービングセル上でＰＤＣＣＨを送信しないこと、第１のサービングセルのためにＰＤＣＣＨを送信しないこと、もしくは少なくとも１つの第２のサービングセルのためにＰＤＣＣＨを送信しないことのうちの少なくとも１つを含む、こと、または端末デバイスによって、インジケーション情報がＰＤＣＣＨを監視すべきことを示す場合に第４の処理を実施することであって、第４の処理が、第１のサービングセル上でＰＤＣＣＨを送信すること、少なくとも１つの第２のサービングセル上でＰＤＣＣＨを送信すること、第１のサービングセルのためにＰＤＣＣＨを送信すること、もしくは少なくとも１つの第２のサービングセルのためにＰＤＣＣＨを送信することのうちの少なくとも１つを含む、こととを含む。
【００１９】
第１のサービングセル上でＰＤＣＣＨを送信しないことは、第１のサービングセル上で、第１のサービングセルのためにＰＤＣＣＨを送信することをスキップすること、および端末デバイスの別のサービングセルのために第１のサービングセル上でＰＤＣＣＨを送信しないことのうちの少なくとも１つを含む。少なくとも１つの第２のサービングセル上でＰＤＣＣＨを送信しないことは、少なくとも１つの第２のサービングセル上の各サービングセルについて、サービングセルのためのＰＤＣＣＨがサービングセル中で送信されないこと、または端末デバイスの別のサービングセルのためのＰＤＣＣＨがサービングセル中で送信されないことを示す。第１のサービングセルのためにＰＤＣＣＨを送信しないことは、第１のサービングセル上で、第１のサービングセルのためにＰＤＣＣＨを送信することをスキップすること、および端末デバイスの別のサービングセル上で、第１のサービングセルのためにＰＤＣＣＨを送信することをスキップすることのうちの少なくとも１つを含む。少なくとも１つの第２のサービングセルのためにＰＤＣＣＨを送信することをスキップすることは、少なくとも１つの第２のサービングセル上の各サービングセルについて、サービングセルのためのＰＤＣＣＨがサービングセル中で送信されないこと、またはサービングセルのためのＰＤＣＣＨが端末デバイスの別のサービングセル中で送信されないことを示す。サービングセルのためのＰＤＣＣＨは、ＰＤＣＣＨによって示される送信がサービングセル上の送信であることを意味する。
【００２０】
第１のサービングセル上でＰＤＣＣＨを送信することは、第１のサービングセル上で、第１のサービングセルのためにＰＤＣＣＨを送信すること、および第１のサービングセル上で、端末デバイスの別のサービングセルのためにＰＤＣＣＨを送信することのうちの少なくとも１つを含む。少なくとも１つの第２のサービングセル上でＰＤＣＣＨを送信することは、少なくとも１つの第２のサービングセル上の各サービングセルについて、サービングセルのためのＰＤＣＣＨがサービングセル上で送信されること、または端末デバイスのための別のサービングセルのためのＰＤＣＣＨがサービングセル上で送信されることを示す。第１のサービングセルのためにＰＤＣＣＨを送信することは、第１のサービングセル上で、第１のサービングセルのためにＰＤＣＣＨを送信すること、および端末デバイスの別のサービングセル上で、第１のサービングセルのためにＰＤＣＣＨを送信することのうちの少なくとも１つを含む。少なくとも１つの第２のサービングセルのためにＰＤＣＣＨを送信することは、少なくとも１つの第２のサービングセル上の各サービングセルについて、サービングセルのためのＰＤＣＣＨがサービングセル上で送信されること、またはサービングセルのためのＰＤＣＣＨが端末デバイスの別のサービングセル上で送信されることを示す。サービングセルのためのＰＤＣＣＨは、ＰＤＣＣＨによって示される送信がサービングセル上の送信であることを意味する。
【００２１】
可能な実装では、ネットワークデバイスによって、第１のサービングセル上でインジケーション情報を送信することは、ネットワークデバイスによって、第１のタイマーの実行持続時間中に第１のサービングセル上でインジケーション情報を送信することを含み、ネットワークデバイスによって、インジケーション情報がＰＤＣＣＨを監視すべきでないことを示す場合に第３の処理を実施することは、ネットワークデバイスがインジケーション情報を送信した後に、ネットワークデバイスによって、第１のタイマーの実行持続時間中に、もしくは第１のタイマーの実行持続時間中に、および第１のタイマーが開始されたｎ個の連続する時間の後の実行持続時間中に第３の処理を実施することを含み、ｎは１以上の整数であるか、またはネットワークデバイスによって、インジケーション情報がＰＤＣＣＨを監視すべきことを示す場合に第４の処理を実施することは、ネットワークデバイスがインジケーション情報を送信した後に、ネットワークデバイスによって、第１のタイマーの実行持続時間中に、もしくは第１のタイマーの実行持続時間中に、および第１のタイマーが開始されたｍ個の連続する時間の後の実行持続時間中に第４の処理を実施することを含み、ｍは１以上の整数である。
【００２２】
可能な実装では、ネットワークデバイスによって、第１のサービングセル上でインジケーション情報を送信することは、ネットワークデバイスによって、第１のタイマーの実行持続時間中に第１のサービングセル上でインジケーション情報を送信することを含み、ネットワークデバイスによって、インジケーション情報がＰＤＣＣＨを監視すべきでないことを示す場合に第３の処理を実施することは、ネットワークデバイスによって、インジケーション情報を送信した後に第１のタイマーを停止することをさらに含む。
【００２３】
可能な実装では、ネットワークデバイスによって、インジケーション情報がＰＤＣＣＨを監視すべきでないことを示す場合に第３の処理を実施することは、ネットワークデバイスによって、ネットワークデバイスがインジケーション情報を送信した後の第１の時間期間中に第３の処理を実施することを含み、第１のサービングセルおよび／もしくは少なくとも１つの第２のサービングセルに対応する第１の時間期間の時間長さは、同じであるかもしくは異なるか、または端末デバイスによって、インジケーション情報がＰＤＣＣＨを監視すべきことを示す場合に第４の処理を実施することは、ネットワークデバイスによって、ネットワークデバイスがインジケーション情報を送信した後の第２の時間期間中に第４の処理を実施することを含み、第１のサービングセルおよび／もしくは少なくとも１つの第２のサービングセルに対応する第２の時間期間の時間長さは、同じであるかもしくは異なる。
【００２４】
可能な実装では、ネットワークデバイスによって、第１のサービングセル上でインジケーション情報を送信することは、ネットワークデバイスによって、第１のＤＲＸサイクルのオン持続時間期間の前に第１のサービングセル上でインジケーション情報を送信することを含み、ネットワークデバイスによって、インジケーション情報がＰＤＣＣＨを監視すべきでないことを示す場合に第３の処理を実施することは、インジケーション情報を送信した後に、ネットワークデバイスによって、第１のＤＲＸサイクルのオン持続時間期間中に第３の処理を実施すること、もしくは第１のＤＲＸサイクルのオン持続時間期間中に、および第１のＤＲＸサイクルの後の少なくとも１つのＤＲＸサイクルのオン持続時間期間中に第３の処理を実施することを含むか、またはネットワークデバイスによって、インジケーション情報がＰＤＣＣＨを監視すべきことを示す場合に第４の処理を実施することは、インジケーション情報を送信した後に、ネットワークデバイスによって、第１のＤＲＸサイクルのオン持続時間期間中に第４の処理を実施すること、もしくは第１のＤＲＸサイクルのオン持続時間期間中に、および第１のＤＲＸサイクルの後の少なくとも１つのＤＲＸサイクルのオン持続時間期間中に第４の処理を実施することを含む。
【００２５】
可能な実装では、インジケーション情報が第１のサービングセルおよび／もしくは少なくとも１つの第２のサービングセル上でＰＤＣＣＨを監視すべきでないことを示し、第１のサービングセルおよび／もしくは少なくとも１つの第２のサービングセルがＰＣｅｌｌを含む場合、ネットワークデバイスによって、第３の処理を実施することは、ネットワークデバイスによって、端末デバイスのすべてのサービングセル中でＰＤＣＣＨを送信することをスキップすることを含み、すべてのサービングセルは、第１のサービングセルおよび少なくとも１つの第２のサービングセルを含むか、またはインジケーション情報が第１のサービングセルおよび／もしくは少なくとも１つの第２のサービングセル上でＰＤＣＣＨを監視すべきことを示し、第１のサービングセルおよび／もしくは少なくとも１つの第２のサービングセルがＰＣｅｌｌを含む場合、ネットワークデバイスによって、第４の処理を実施することは、ネットワークデバイスによって、端末デバイスのすべてのサービングセル上でＰＤＣＣＨを送信することを含み、すべてのサービングセルは、第１のサービングセルおよび少なくとも１つの第２のサービングセルを含む。
【００２６】
可能な実装では、インジケーション情報は、第１のサービングセルおよび／もしくは少なくとも１つの第２のサービングセルに対応する複数／１つのインデックスを含むか、またはインジケーション情報は、第１のサービングセルおよび／もしくは少なくとも１つの第２のサービングセルを示すために使用されるビットマップを含む。
【００２７】
可能な実装では、時間情報は、第１のサービングセルおよび／もしくは少なくとも１つの第２のサービングセルの各々に対応する時間長さを含むか、または時間情報は、第１のサービングセルおよび／もしくは少なくとも１つの第２のサービングセルに対応する１つの時間長さを含む。
【００２８】
第３の態様によれば、本出願の実施形態は、端末デバイスを提供し、この端末デバイスは、第１のサービングセル上でインジケーション情報を受信するように構成された、受信ユニットと、監視ユニットであって、インジケーション情報がＰＤＣＣＨを監視すべきでないことを示す場合に第１の処理を実施することであって、第１の処理が、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、もしくは少なくとも１つの第２のサービングセルのためにＰＤＣＣＨを監視しないことのうちの少なくとも１つを含む、こと、またはインジケーション情報がＰＤＣＣＨを監視すべきことを示す場合に第２の処理を実施することであって、第２の処理が、第１のサービングセル上でＰＤＣＣＨを監視すること、少なくとも１つの第２のサービングセル上でＰＤＣＣＨを監視すること、第１のサービングセルのためにＰＤＣＣＨを監視すること、もしくは少なくとも１つの第２のサービングセルのためにＰＤＣＣＨを監視することのうちの少なくとも１つを含む、ことを行うように構成された、監視ユニットとを含む。
【００２９】
可能な実装では、受信ユニットは、第１のタイマーの実行持続時間中に第１のサービングセルについてインジケーション情報を受信するように構成され、インジケーション情報がＰＤＣＣＨを監視すべきでないことを示す場合、監視ユニットは、受信ユニットがインジケーション情報を受信した後に、第１のタイマーの実行持続時間中に、もしくは第１のタイマーの実行持続時間中に、および第１のタイマーが開始されたｎ個の連続する時間の後の実行持続時間中に第１の処理を実施するように構成され、ｎは１以上の整数であるか、またはインジケーション情報がＰＤＣＣＨを監視すべきことを示す場合、監視ユニットは、受信ユニットがインジケーション情報を受信した後に、第１のタイマーの実行持続時間中に、もしくは第１のタイマーの実行持続時間中に、および第１のタイマーが開始されたｍ個の連続する時間の後の実行持続時間中に第２の処理を実施するように構成され、ｍは１以上の整数である。
【００３０】
可能な実装では、受信ユニットは、第１のタイマーの実行持続時間中に第１のサービングセルについてのインジケーション情報を受信するように構成され、インジケーション情報がＰＤＣＣＨを監視すべきでないことを示す場合、監視ユニットは、受信ユニットがインジケーション情報を受信した後に、第１のタイマーを停止するように構成される。
【００３１】
第１のタイマーは、端末デバイスがＰＤＣＣＨを受信した後に端末デバイスによってＰＤＣＣＨを監視するための時間長さを判定するように構成されるか、または第１のタイマーは、間欠受信ＤＲＸサイクル中に端末デバイスによってＰＤＣＣＨを監視するための時間長さを判定するように構成される。
【００３２】
可能な実装では、インジケーション情報がＰＤＣＣＨを監視すべきでないことを示す場合、監視ユニットは、受信ユニットがインジケーション情報を受信した後の第１の時間期間中に第１の処理を実施するように構成され、第１のサービングセルおよび／もしくは少なくとも１つの第２のサービングセルに対応する第１の時間期間の時間長さは、同じであるかもしくは異なるか、またはインジケーション情報がＰＤＣＣＨを監視すべきことを示す場合、監視ユニットは、受信ユニットがインジケーション情報を受信した後の第２の時間期間中に第２の処理を実施するように構成され、第１のサービングセルおよび／もしくは少なくとも１つの第２のサービングセルに対応する第２の時間期間の時間長さは、同じであるかもしくは異なる。
【００３３】
可能な実装では、受信ユニットは、第１のＤＲＸサイクルのオン持続時間期間の前に第１のサービングセル上でインジケーション情報を受信するように構成され、インジケーション情報がＰＤＣＣＨを監視すべきでないことを示す場合、監視ユニットは、受信ユニットがインジケーション情報を受信した後に、第１のＤＲＸサイクルのオン持続時間期間中に第１の処理を実施するか、もしくは第１のＤＲＸサイクルのオン持続時間期間中に、および第１のＤＲＸサイクルの後の少なくとも１つのＤＲＸサイクルのオン持続時間期間中に第１の処理を実施するように構成されるか、またはインジケーション情報がＰＤＣＣＨを監視すべきことを示す場合、監視ユニットは、受信ユニットがインジケーション情報を受信した後に、第１のＤＲＸサイクルのオン持続時間期間中に第２の処理を実施するか、もしくは第１のＤＲＸサイクルのオン持続時間期間中に、および第１のＤＲＸサイクルの後の少なくとも１つのＤＲＸサイクルのオン持続時間期間中に第２の処理を実施するように構成される。
【００３４】
可能な実装では、インジケーション情報が第１のサービングセルおよび／もしくは少なくとも１つの第２のサービングセル上でＰＤＣＣＨを監視すべきでないことを示し、第１のサービングセルおよび／もしくは少なくとも１つの第２のサービングセルがＰＣｅｌｌを含む場合、監視ユニットは、端末デバイスのすべてのサービングセル上でＰＤＣＣＨを監視することをスキップするように構成され、すべてのサービングセルは、第１のサービングセルおよび少なくとも１つの第２のサービングセルを含むか、またはインジケーション情報が第１のサービングセルおよび／もしくは少なくとも１つの第２のサービングセル上でＰＤＣＣＨを監視すべきことを示し、第１のサービングセルおよび／もしくは少なくとも１つの第２のサービングセルがＰＣｅｌｌを含む場合、監視ユニットは、端末デバイスのすべてのサービングセル上でＰＤＣＣＨを監視するように構成され、すべてのサービングセルは、第１のサービングセルおよび少なくとも１つの第２のサービングセルを含む。
【００３５】
可能な実装では、インジケーション情報は、第１のサービングセルおよび／もしくは少なくとも１つの第２のサービングセルに対応する複数／１つのインデックスを含むか、またはインジケーション情報は、第１のサービングセルおよび／もしくは少なくとも１つの第２のサービングセルを示すために使用されるビットマップを含む。
【００３６】
可能な実装では、インジケーション情報がＰＤＣＣＨを監視すべきでないことを示す場合、インジケーション情報は、第１の処理を実施するための時間情報を示すためにさらに使用されるか、またはインジケーション情報がＰＤＣＣＨを監視すべきことを示す場合、インジケーション情報は、第２の処理を実施するための時間情報を示すためにさらに使用される。
【００３７】
可能な実装では、時間情報は、第１のサービングセルおよび／もしくは少なくとも１つの第２のサービングセルの各々に対応する時間長さを含むか、または時間情報は、第１のサービングセルおよび／もしくは少なくとも１つの第２のサービングセルに対応する１つの時間長さを含む。
【００３８】
第４の態様によれば、本出願の実施形態は、ネットワークデバイスを提供し、このネットワークデバイスは、第１のサービングセル上でインジケーション情報を送信するように構成された、送信ユニットと、処理ユニットであって、インジケーション情報がＰＤＣＣＨを監視すべきでないことを示す場合に送信ユニットを使用することによって第３の処理を実施することであって、第３の処理が、第１のサービングセル上でＰＤＣＣＨを送信しないこと、少なくとも１つの第２のサービングセル上でＰＤＣＣＨを送信しないこと、第１のサービングセルのためにＰＤＣＣＨを送信しないこと、もしくは少なくとも１つの第２のサービングセルのためにＰＤＣＣＨを送信しないことのうちの少なくとも１つを含む、こと、またはインジケーション情報がＰＤＣＣＨを監視すべきことを示す場合に送信ユニットを使用することによって第４の処理を実施することであって、第４の処理が、第１のサービングセル上でＰＤＣＣＨを送信すること、少なくとも１つの第２のサービングセル上でＰＤＣＣＨを送信すること、第１のサービングセルのためにＰＤＣＣＨを送信すること、もしくは少なくとも１つの第２のサービングセルのためにＰＤＣＣＨを送信することのうちの少なくとも１つを含む、ことを行うように構成された、処理ユニットとを含む。
【００３９】
可能な実装では、送信ユニットは、第１のタイマーの実行持続時間中に第１のサービングセル上でインジケーション情報を送信するように構成され、インジケーション情報がＰＤＣＣＨを監視すべきでないことを示す場合、処理ユニットは、送信ユニットがインジケーション情報を送信した後に、第１のタイマーの実行持続時間中に、もしくは第１のタイマーの実行持続時間中に、および第１のタイマーが開始されたｎ個の連続する時間の後の実行持続時間中に第３の処理を実施するように構成され、ｎは１以上の整数であるか、またはインジケーション情報がＰＤＣＣＨを監視すべきことを示す場合、処理ユニットは、送信ユニットがインジケーション情報を送信した後に、第１のタイマーの実行持続時間中に、もしくは第１のタイマーの実行持続時間中に、および第１のタイマーが開始されたｍ個の連続する時間の後の実行持続時間中に第４の処理を実施するように構成され、ｍは１以上の整数である。
【００４０】
可能な実装では、送信ユニットは、第１のタイマーの実行持続時間中に第１のサービングセル上でインジケーション情報を送信するように構成され、インジケーション情報がＰＤＣＣＨを監視すべきでないことを示す場合、処理ユニットは、送信ユニットがインジケーション情報を送信した後に、第１のタイマーを停止するようにさらに構成される。
【００４１】
可能な実装では、インジケーション情報がＰＤＣＣＨを監視すべきでないことを示す場合、処理ユニットは、送信ユニットがインジケーション情報を送信した後の第１の時間期間中に第３の処理を実施するように構成され、第１のサービングセルおよび／もしくは少なくとも１つの第２のサービングセルに対応する第１の時間期間の時間長さは、同じであるかもしくは異なるか、またはインジケーション情報がＰＤＣＣＨを監視すべきことを示す場合、処理ユニットは、送信ユニットがインジケーション情報を送信した後の第２の時間期間中に第４の処理を実施するように構成され、第１のサービングセルおよび／もしくは少なくとも１つの第２のサービングセルに対応する第２の時間期間の時間長さは、同じであるかもしくは異なる。
【００４２】
可能な実装では、送信ユニットは、第１のＤＲＸサイクルのオン持続時間期間の前に第１のサービングセル上でインジケーション情報を送信するように構成され、インジケーション情報がＰＤＣＣＨを監視すべきでないことを示す場合、処理ユニットは、送信ユニットがインジケーション情報を送信した後に、第１のＤＲＸサイクルのオン持続時間期間中に第３の処理を実施すること、もしくは第１のＤＲＸサイクルのオン持続時間期間中に、および第１のＤＲＸサイクルの後の少なくとも１つのＤＲＸサイクルのオン持続時間期間中に第３の処理を実施することを行うように構成されるか、またはインジケーション情報がＰＤＣＣＨを監視すべきことを示す場合、処理ユニットは、送信ユニットがインジケーション情報を送信した後に、第１のＤＲＸサイクルのオン持続時間期間中に第４の処理を実施すること、もしくは第１のＤＲＸサイクルのオン持続時間期間中に、および第１のＤＲＸサイクルの後の少なくとも１つのＤＲＸサイクルのオン持続時間期間中に第４の処理を実施することを行うように構成される。
【００４３】
可能な実装では、インジケーション情報が第１のサービングセルおよび／もしくは少なくとも１つの第２のサービングセル上でＰＤＣＣＨを監視すべきでないことを示し、第１のサービングセルおよび／もしくは少なくとも１つの第２のサービングセルがＰＣｅｌｌを含む場合、処理ユニットは、送信ユニットを使用することによって、端末デバイスのすべてのサービングセル中でＰＤＣＣＨを送信することをスキップするように構成され、すべてのサービングセルは、第１のサービングセルおよび少なくとも１つの第２のサービングセルを含むか、またはインジケーション情報が第１のサービングセルおよび／もしくは少なくとも１つの第２のサービングセル上でＰＤＣＣＨを監視すべきことを示し、第１のサービングセルおよび／もしくは少なくとも１つの第２のサービングセルがＰＣｅｌｌを含む場合、処理ユニットは、送信ユニットを使用することによって、端末デバイスのすべてのサービングセル中でＰＤＣＣＨを送信するように構成され、すべてのサービングセルは、第１のサービングセルおよび少なくとも１つの第２のサービングセルを含む。
【００４４】
可能な実装では、インジケーション情報は、第１のサービングセルおよび／もしくは少なくとも１つの第２のサービングセルに対応する複数／１つのインデックスを含むか、またはインジケーション情報は、第１のサービングセルおよび／もしくは少なくとも１つの第２のサービングセルを示すために使用されるビットマップを含む。
【００４５】
可能な実装では、時間情報は、第１のサービングセルおよび／もしくは少なくとも１つの第２のサービングセルの各々に対応する時間長さを含むか、または時間情報は、第１のサービングセルおよび／もしくは少なくとも１つの第２のサービングセルに対応する１つの時間長さを含む。
【００４６】
第５の態様によれば、本出願の実施形態は、命令を含む、コンピュータ可読記憶媒体を提供する。命令がコンピュータ上で実行されたとき、コンピュータは、第１の態様または第２の態様において提供されるいずれかの方法を実施することを可能にされる。
【００４７】
第６の態様によれば、本出願の実施形態は、命令を含むコンピュータプログラム製品を提供する。コンピュータプログラム製品がコンピュータ上で実行されたとき、コンピュータは、第１の態様または第２の態様において提供されるいずれかの方法を実施することを可能にされる。
【００４８】
第７の態様によれば、本出願の実施形態は、チップシステムを提供する。チップシステムは、プロセッサを含み、上記の方法において端末デバイスまたはネットワークデバイスの機能を実装するように構成されたメモリをさらに含み得る。チップシステムは、チップを含み得るか、またはチップおよび別の個別デバイスを含み得る。
【００４９】
第８の態様によれば、本出願の実施形態は、装置をさらに提供する。本装置は、第１の態様において説明される方法において端末デバイスの機能を実装するように構成された、または第２の態様において説明される方法においてネットワークデバイスの機能を実装するように構成された、プロセッサを含む。本装置は、プログラム命令およびデータを記憶するように構成された、メモリをさらに含み得る。メモリはプロセッサに結合され、プロセッサは、メモリに記憶されたプログラム命令を呼び出し、実行して、第１の態様において説明される方法において端末デバイスの機能を実装するか、または第２の態様において説明される方法においてネットワークデバイスの機能を実装し得る。本装置は、通信インターフェースをさらに含んでよく、通信インターフェースは、別のデバイスと通信するために本装置によって使用される。
【００５０】
第９の態様によれば、本出願の実施形態は、システムを提供する。本システムは、第３の態様における端末デバイスおよび第４の態様におけるネットワークデバイスを含む。
【図面の簡単な説明】
【００５１】
【図１】本出願の実施形態によるＤＲＸサイクルの概略図である。
【図２】本出願の実施形態によるワイヤレス通信方法が適用可能であるシステムの概略アーキテクチャ図である。
【図３】本出願の実施形態によるワイヤレス通信方法における信号相互作用の概略図である。
【図３ａ】本出願の実施形態によるＰＣｅｌｌおよびＳＣｅｌｌ中でＰＤＣＣＨを監視する概略図である。
【図３ｂ】本出願の実施形態によるＰＣｅｌｌおよびＳＣｅｌｌ中でＰＤＣＣＨを監視する別の概略図である。
【図３ｃ】本出願の実施形態によるＰＣｅｌｌおよびＳＣｅｌｌ中でＰＤＣＣＨを監視するさらに別の概略図である。
【図４】本出願の実施形態によるワイヤレス通信方法における信号相互作用の別の概略図である。
【図４ａ】本出願の実施形態によるインジケーション情報に基づいて第１の処理を実施する概略図である。
【図４ｂ】本出願の実施形態によるインジケーション情報に基づいて第１の処理を実施する別の概略図である。
【図５】本出願の実施形態によるワイヤレス通信方法における信号相互作用のさらに別の概略図である。
【図５ａ】本出願の実施形態によるインジケーション情報に基づいて第１の処理を実施する概略図である。
【図６】本出願の実施形態による端末デバイスの概略構造図である。
【図７】本出願の実施形態による端末デバイスの別の概略構造図である。
【図８】本出願の実施形態による端末デバイスのさらに別の概略構造図である。
【図９】本出願の実施形態によるネットワークデバイスの概略構造図である。
【図１０】本出願の実施形態によるネットワークデバイスの別の概略構造図である。
【図１１】本出願の実施形態によるネットワークデバイスのさらに別の概略構造図である。
【発明を実施するための形態】
【００５２】
以下の実施形態の説明を明白で簡潔にするために、関係する概念または技術について最初に手短に説明される。
【００５３】
新無線アクセス技術（ｎｅｗ  ｒａｄｉｏ  ａｃｃｅｓｓ  ｔｅｃｈｎｉｃａｌ、Ｎｅｗ  ＲＡＴまたはＮＲ）は、ＬＴＥにおけるＤＲＸ機構に従う。新ＲＡＴまたはＮＲは、第５世代（ｔｈｅ  ｆｉｆｔｈ  ｇｅｎｅｒａｔｉｏｎ、５Ｇ）モバイル通信システムと呼ばれることもある。ＤＲＸ機能は、ＲＲＣ接続モードにおける端末デバイス（たとえば、ユーザ機器（Ｕｓｅｒ  Ｅｑｕｉｐｍｅｎｔ、ＵＥ））のために構成され得る。ＤＲＸは、ＤＲＸサイクル（ＤＲＸ  ｃｙｃｌｅ）中のいくつかの時間期間においてＰＤＣＣＨを監視するように、および他の時間期間においてＰＤＣＣＨを監視しないようにＵＥを制御するために使用され得る。たとえば、ＤＲＸは、セル無線ネットワーク一時識別情報（ｃｅｌｌ  ｒａｄｉｏ  ｎｅｔｗｏｒｋ  ｔｅｍｐｏｒａｒｙ  ｉｄｅｎｔｉｔｙ、Ｃ−ＲＮＴＩ）、構成されたスケジューリング無線ネットワーク一時識別情報（ｃｏｎｆｉｇｕｒｅｄ  ｓｃｈｅｄｕｌｉｎｇ  ＲＮＴＩ、ＣＳ−ＲＮＴＩ）、中断無線ネットワーク一時識別情報（ｉｎｔｅｒｒｕｐｔｉｏｎ  ＲＮＴＩ、ＩＮＴ−ＲＮＴＩ）、スロットフォーマットインジケーション無線ネットワーク一時識別情報（ｓｌｏｔ  ｆｏｒｍａｔ  ｉｎｄｉｃａｔｉｏｎ  ＲＮＴＩ、ＳＦＩ−ＲＮＴＩ）、半永続的チャネル状態情報無線ネットワーク一時識別情報（ｓｅｍｉ−ｐｅｒｓｉｓｔｅｎｔ  ＣＳＩ  ＲＮＴＩ、ＳＰ−ＣＳＩ−ＲＮＴＩ）、送信電力制御無線ネットワーク一時識別情報（ｔｒａｎｓｍｉｔ  ｐｏｗｅｒ  ｃｏｎｔｒｏｌ  ＲＮＴＩ、ＴＰＣ−ＰＵＣＣＨ−ＲＮＴＩ）、送信電力制御物理アップリンク共有チャネル無線ネットワーク一時識別情報（ｔｒａｎｓｍｉｔ  ｐｏｗｅｒ  ｃｏｎｔｒｏｌ  ｐｈｙｓｉｃａｌ  ｕｐｌｉｎｋ  ｓｈａｒｅｄ  ｃｈａｎｎｅｌ  ＲＮＴＩ、ＴＰＣ−ＰＵＳＣＨ−ＲＮＴＩ）、または送信電力制御サウンディング基準信号無線ネットワーク一時識別情報（ｔｒａｎｓｍｉｔ  ｐｏｗｅｒ  ｃｏｎｔｒｏｌ  ｓｏｕｎｄｉｎｇ  ｒｅｆｅｒｅｎｃｅ  ｓｉｇｎａｌ  ＲＮＴＩ、ＴＰＣ−ＳＲＳ−ＲＮＴＩ）を使用することによってスクランブルされたＰＤＣＣＨを監視するようにＵＥを制御するために使用され得る。ＲＮＴＩは、無線ネットワーク一時識別情報（ｒａｄｉｏ  ｎｅｔｗｏｒｋ  ｔｅｍｐｏｒａｒｙ  ｉｄｅｎｔｉｔｙ）の略である。ＰＤＣＣＨを使用してＤＣＩを搬送し得るので、ＲＮＴＩを使用してＰＤＣＣＨをスクランブルすることは、ＲＮＴＩを使用してＤＣＩをスクランブルすることとしても理解され得る。ＤＣＩをスクランブルする処理は次の通りであってよい。ＤＣＩ上でサイクリック冗長検査（ｃｙｃｌｉｃ  ｒｅｄｕｎｄａｎｃｙ  ｃｈｅｃｋ、ＣＲＣ）アタッチメントが実施された後に、無線ネットワーク一時識別情報を使用してＣＲＣ検査ビットをスクランブルするか、またはＲＮＴＩを使用して、ＤＣＩ上でＣＲＣアタッチメントが実施された後に取得されたシーケンスをスクランブルする。
【００５４】
図１に示されているように、ＤＲＸサイクルは、ｏｎ−ｄｕｒａｔｉｏｎ  ｐｅｒｉｏｄおよびｏｐｐｏｒｔｕｎｉｔｙ  ｆｏｒ  ＤＲＸを含む。ｏｎ−ｄｕｒａｔｉｏｎ  ｐｅｒｉｏｄは、オン持続時間期間と呼ばれることがあり、ｏｐｐｏｒｔｕｎｉｔｙ  ｆｏｒ  ＤＲＸは、ＤＲＸ機会と呼ばれることがある。ｄｒｘオン持続時間タイマー（ｄｒｘ−ｏｎＤｕｒａｔｉｏｎＴｉｍｅｒ、ｏｎＤｕｒａｔｉｏｎＴｉｍｅｒとも呼ばれる）は、オン持続時間期間の開始瞬間（またはＤＲＸサイクルの開始瞬間）において開始され得る。ｄｒｘオン持続時間タイマーの時間長さは、オン持続時間期間の時間長さである。ｄｒｘオン持続時間タイマーの時間長さは、ＤＲＸサイクルの開始における時間期間を含む。ＵＥは、オン持続時間期間中にＰＤＣＣＨを監視し得、言い換えれば、ＵＥは、ｄｒｘオン持続時間タイマーの実行持続時間中にＰＤＣＣＨを監視し得る。ＵＥは、ｄｒｘオン持続時間タイマーの実行持続時間中に、新しいアップリンク（ｕｐｌｉｎｋ、ＵＬ）またはダウンリンク（ｄｏｗｎｌｉｎｋ、ＤＬ）送信をスケジュールするために使用されるＰＤＣＣＨを受信したとき（すなわち、新たに送信されたＰＤＣＣＨを受信したとき）、非アクティビティタイマー（ｄｒｘ非アクティビティタイマー）を開始（または再開）し得る。ｄｒｘ非アクティビティタイマーの時間長さは、ＵＥがＰＤＣＣＨを受信した後の時間期間を含み、たとえば、ＰＤＣＣＨが位置するサブフレームの後の時間期間であり得るか、またはＰＤＣＣＨが位置するＰＤＣＣＨオケージョンの後の時間期間であり得る。ＰＤＣＣＨは、新しいＵＬまたはＤＬ送信をＵＥに示すために使用され得る。ＰＤＣＣＨオケージョンは、ＰＤＣＣＨを監視するために端末デバイスによって使用される時間期間（たとえば、１つまたは複数のシンボル）であり、ＰＤＣＣＨ監視オケージョンと呼ばれることもある。ＵＥは、ｄｒｘ非アクティビティタイマーが満了するまで、ｄｒｘ非アクティビティタイマーの実行持続時間中にＰＤＣＣＨを監視し続け得る。
【００５５】
ＵＥがデータのハイブリッド自動再送要求（ｈｙｂｒｉｄ  ａｕｔｏｍａｔｉｃ  ｒｅｐｅａｔ  ｒｅｑｕｅｓｔ、ＨＡＲＱ）のためにＰＤＣＣＨ上でリッスンするとき、前の送信と再送信との間に固定の時間系列関係がないので、時間ウィンドウは、アップリンクＨＡＲＱ処理（ｐｒｏｃｅｓｓ）およびダウンリンクＨＡＲＱ処理のために別々に定義され、ＵＥは、前のアップリンクまたはダウンリンク送信から開始する時間ウィンドウの後にアップリンクまたはダウンリンク送信のためにＰＤＣＣＨ上でリッスンし始めることを可能にされる。時間ウィンドウは、タイマーを使用することによって実装され得る。各アップリンクＨＡＲＱ処理および各ダウンリンクＨＡＲＱ処理は、１つのタイマーに対応し得る。たとえば、ダウンリンクＨＡＲＱ処理に対応するタイマーは、ＨＡＲＱ  ＲＴＴタイマーまたはｄｒｘ−ＨＡＲＱ−ＲＴＴ−タイマーＤＬであり、アップリンクＨＡＲＱ処理に対応するタイマーは、ＵＬ  ＨＡＲＱ  ＲＴＴタイマーまたはｄｒｘ−ＨＡＲＱ−ＲＴＴ−タイマーＵＬである。ＲＴＴは、ラウンドトリップ時間（ｒｏｕｎｄ  ｔｒｉｐ  ｔｉｍｅ）の略である。アップリンクＨＡＲＱ処理では、対応するタイマーが満了したとき、対応するアップリンク再送信タイマー（ｄｒｘ再送信タイマーＵＬ、ｄｒｘ−ＵＬ再送信タイマーとも呼ばれる）が開始される。ダウンリンクＨＡＲＱ処理では、対応するタイマーが満了したとき、対応するダウンリンク再送信タイマー（ｄｒｘ再送信タイマーＤＬ、ｄｒｘ再送信タイマーとも呼ばれる）が開始される。ｄｒｘ再送信タイマーＵＬまたはｄｒｘ再送信タイマーＤＬが実行するとき、ＵＥはＰＤＣＣＨ上でリッスンする。ｄｒｘ再送信タイマーＵＬは、ＵＬ再送信のための許可が受信されるまでの最大持続時間（ｔｈｅ  ｍａｘｉｍｕｍ  ｄｕｒａｔｉｏｎ  ｕｎｔｉｌ  ａ  ｇｒａｎｔ  ｆｏｒ  ＵＬ  ｒｅｔｒａｎｓｍｉｓｓｉｏｎ  ｉｓ  ｒｅｃｅｉｖｅｄ）として定義され得る。ｄｒｘ再送信タイマーＤＬは、ＤＬ再送信のための許可が受信されるまでの最大持続時間（ｔｈｅ  ｍａｘｉｍｕｍ  ｄｕｒａｔｉｏｎ  ｕｎｔｉｌ  ａ  ｇｒａｎｔ  ｆｏｒ  ＤＬ  ｒｅｔｒａｎｓｍｉｓｓｉｏｎ  ｉｓ  ｒｅｃｅｉｖｅｄ）として定義され得る。
【００５６】
ＤＲＸサイクルが構成されたとき、ＵＥは、アクティブ時間（ａｃｔｉｖｅ  ｔｉｍｅ）中にＰＤＣＣＨを監視し得る。ＤＲＸサイクルが構成されないとき、ＵＥは、ＰＤＣＣＨを監視する必要がない。アクティブ時間は以下を含む。
【００５７】
（１）ｄｒｘオン持続時間タイマー、ｄｒｘ非アクティビティタイマー、ｄｒｘ再送信タイマーＵＬ、ｄｒｘ再送信タイマーＤＬ、または競合解消タイマー（ｒａ競合解消タイマーもしくはｍａｃ競合解消タイマー）というタイマーのうちの少なくとも１つの実行時間期間。競合解消タイマーは、端末デバイスがランダムアクセス処理中にメッセージ３を送信した後にメッセージ４を示すために使用されるＰＤＣＣＨを監視する時間長さを判定するように構成され得る。
【００５８】
（２）スケジューリング要求（Ｓｃｈｅｄｕｌｉｎｇ  Ｒｅｑｕｅｓｔ、ＳＲ）が送信され、保留（ｐｅｎｄｉｎｇ）状態にある。ＳＲがトリガされたとき、ＳＲは、ＳＲが取り消されるまで保留状態にある。ＳＲが保留状態にある時間期間は、ＳＲが送信される瞬間と、ＳＲが取り消される瞬間との間の時間期間である。
【００５９】
（３）ランダムアクセス応答（ｒａｎｄｏｍ  ａｃｃｅｓｓ  ｒｅｓｐｏｎｓｅ、ＲＡＲ）を正常に受信した後に、端末デバイスが、Ｃ−ＲＮＴＩを使用することによってスクランブルされ、新しい送信を示すＰＤＣＣＨを受信せず、ＲＡＲが、競合ベースのランダムアクセスプリアンブルからＵＥによって選択されたランダムアクセスプリアンブルのＲＡＲでない。
【００６０】
本出願の実施形態は、ワイヤレス通信方法および装置を提供し、端末デバイスがＤＲＸサイクル中にＰＤＣＣＨを監視するかまたはＰＤＣＣＨを監視しない処理に適用される。たとえば、本出願の実施形態は、キャリアアグリゲーションシナリオ中にある、端末デバイスがＰＣｅｌｌ中でＰＤＣＣＨを監視するかまたは監視しない処理、および端末デバイスが１つまたは複数のＳＣｅｌｌ中でＰＤＣＣＨを監視するかまたは監視しない処理に適用される。
【００６１】
キャリアアグリゲーションシナリオでは、ＵＥは、ＰＣｅｌｌへのＲＲＣ接続を維持することを理解されたい。ＲＲＣ接続確立／再確立／ハンドオーバ処理において、ＰＣｅｌｌは、非アクセス層（ｎｏｎ−ａｃｃｅｓｓ  ｓｔｒａｔｕｍ、ＮＡＳ）モビリティ情報を提供する。ＲＲＣ接続再確立／ハンドオーバ処理において、ＰＣｅｌｌは、セキュアな入力を提供する。１つまたは複数のＳＣｅｌｌがＵＥのために構成されてもよく、１つまたは複数のＳＣｅｌｌおよびＰＣｅｌｌは、サービングセルセットを形成する。ＰＣｅｌｌに対応する１次コンポーネントキャリア（ｐｒｉｍａｒｙ  ｃｏｍｐｏｎｅｎｔ  ｃａｒｒｉｅｒ、ＰＣＣ）、およびＳＣｅｌｌに対応する２次コンポーネントキャリア（ｓｅｃｏｎｄａｒｙ  ｃｏｍｐｏｎｅｎｔ  ｃａｒｒｉｅｒ、ＳＣＣ）は、アグリゲートされ得る。ＵＥは、ＵＥの能力に基づいて１つまたは複数のコンポーネントキャリア（ｃｏｍｐｏｎｅｎｔ  Ｃａｒｒｉｅｒｓ、ＣＣ）上でデータを同時に受信するかまたは送信し得る。ＣＣは、ＰＣＣおよびＳＣＣを含む。
【００６２】
図２は、本出願の実施形態による技術的解決策が適用可能である通信システムの概略図である。通信システムは、ネットワークデバイス１００と、ネットワークデバイス１００に接続された１つまたは複数の端末デバイス２００（図２はただ１つの端末デバイス２００を示している）とを含み得る。ネットワークデバイスは、プライマリセルまたはセカンダリセル（たとえば、セカンダリセル１またはセカンダリセル２）中でＰＤＣＣＨを送信することがあり、端末デバイスは、プライマリセルまたはセカンダリセル（たとえば、セカンダリセル１またはセカンダリセル２）中で、ネットワークデバイスによって送信されたＰＤＣＣＨを監視するかまたは監視しないことがあり、すなわち、端末デバイスは、ＰＤＣＣＨ上でネットワークデバイスによって送信されたアップリンク／ダウンリンク制御情報を監視するかまたは監視しないことがある。
【００６３】
本出願の実施形態におけるネットワークデバイスは、基地局（ｂａｓｅ  ｓｔａｔｉｏｎ、ＢＳ）を含む。基地局は、複数の形態、たとえば、マクロ基地局、マイクロ基地局、リレー局、およびアクセスポイントを有し得る。たとえば、本出願の実施形態における基地局は、ＮＲにおける基地局であり得る。ＮＲにおける基地局は、送受信点（ｔｒａｎｓｍｉｓｓｉｏｎ  ｒｅｃｅｐｔｉｏｎ  ｐｏｉｎｔ、ＴＲＰ）もしくはｇＮＢと呼ばれることもあるか、またはＧＳＭもしくはＣＤＭＡにおける基地トランシーバ局（Ｂａｓｅ  Ｔｒａｎｓｃｅｉｖｅｒ  Ｓｔａｔｉｏｎ、ＢＴＳ）であり得るか、またはＷＣＤＭＡシステムにおけるノードＢ（ＮｏｄｅＢ、ＮＢ）であり得るか、またはＬＴＥシステムにおける発展型ノードＢ（Ｅｖｏｌｕｔｉｏｎａｌ  ＮｏｄｅＢ、ｅＮＢもしくはｅＮｏｄｅＢ）であり得るか、または将来の５Ｇネットワークにおける次世代ノードＢ（Ｎｅｘｔ  ｇｅｎｅｒａｔｉｏｎ  ＮｏｄｅＢ、ｇＮＢ）であり得る。本出願の実施形態におけるネットワークデバイスは、代替として、無線アクセスネットワーク中に展開され、端末とのワイヤレス通信を実施することができるデバイスを含んでよく、たとえば、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであり得る。代替として、ネットワークデバイスは、リレー局、アクセスポイント、将来の５Ｇネットワークにおけるネットワークデバイス、将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）におけるネットワークデバイスなどであり得る。本出願の実施形態では、ネットワークデバイスの機能を実装する装置は、ネットワークデバイスであり得るか、または機能を実装する際にネットワークデバイスをサポートする装置、たとえば、チップ、回路、もしくは別の装置であり得る。本出願の実施形態では、本出願の実施形態において提供される技術的解決策について説明するために、ネットワークデバイスの機能を実装する装置がネットワークデバイスである例が使用される。
【００６４】
本出願の実施形態における端末デバイスは、端末と呼ばれることもあり、ワイヤレス受信および送信機能を有するデバイスであり得る。端末デバイスは、陸上に展開されてよく、屋内デバイス、屋外デバイス、ハンドヘルドデバイス、または車載型デバイスを含む。代替として、端末デバイスは、水面上に（たとえば、船舶上に）展開されてよいか、または空中に（たとえば、航空機、バルーン、もしくは衛星上に）展開されてよい。端末デバイスは、ユーザ機器（ｕｓｅｒ  ｅｑｕｉｐｍｅｎｔ、ＵＥ）であり得る。ＵＥは、ハンドヘルドデバイス、車載型デバイス、ウェアラブルデバイス、またはワイヤレス通信機能を有するコンピューティングデバイスを含む。たとえば、ＵＥは、モバイルフォン（ｍｏｂｉｌｅ  ｐｈｏｎｅ）、タブレットコンピュータ、またはワイヤレス受信および送信機能を有するコンピュータであり得る。代替として、端末デバイスは、仮想現実（ｖｉｒｔｕａｌ  ｒｅａｌｉｔｙ、ＶＲ）端末デバイス、拡張現実（ａｕｇｍｅｎｔｅｄ  ｒｅａｌｉｔｙ、ＡＲ）端末デバイス、工業制御におけるワイヤレス端末、自動運転におけるワイヤレス端末、リモート医療におけるワイヤレス端末、スマートグリッドにおけるワイヤレス端末、スマートシティ（ｓｍａｒｔ  ｃｉｔｙ）におけるワイヤレス端末、スマートホーム（ｓｍａｒｔ  ｈｏｍｅ）におけるワイヤレス端末などであり得る。本出願のこの実施形態では、端末の機能を実装する装置は、端末であり得るか、またはチップ、回路、もしくは別の装置など、機能を実装するために端末をサポートする装置であり得る。本出願の実施形態では、本出願の実施形態において提供される技術的解決策について説明するために、端末の機能を実装する装置が端末である例が使用される。
【００６５】
以下で、本出願の実施形態における添付の図面を参照しながら、本出願の実施形態における技術的解決策について説明する。本出願の説明では、「複数の」は、別段に明記されていない限り、２つのまたは２よりも大きいことを意味する。加えて、本出願の実施形態における技術的解決策について明確に説明するために、本出願の実施形態では、基本的に同じ機能および目的を有する同じ項目または同様の項目の間で区別するために、「第１の」および「第２の」などの用語が使用される。当業者は、「第１の」および「第２の」などの用語が量または実行順序を限定せず、「第１の」および「第２の」などの用語が明確な差異を示さないことを理解されよう。
【００６６】
本出願の実施形態において述べられるタイマーは、以下の記述に適用可能である。タイマーが開始されると、タイマーは、タイマーが停止または満了するまで、実行状態にある。さもなければ、タイマーは非実行状態にある。タイマーが非実行状態にある場合、タイマーは開始され得る。タイマーが実行状態にある場合、タイマーは再開され得る。タイマーの値は、タイマーが開始または再開されたときのタイマーの初期値である。タイマーの時間長さは、タイマーが開始し連続的に実行する瞬間から、タイマーが満了する瞬間までの時間長さとして、またはタイマーが再開し連続的に実行する瞬間から、タイマーが満了する瞬間までの時間長さとして理解されてよい。
【００６７】
本出願の実施形態における様々なタイマーの名前は例にすぎず、実際の適用例では異なる名前が使用され得ることに留意されたい。これは、本出願では限定されない。
【００６８】
本出願の実施形態では、Ａ、Ｂ、Ｃ、およびＤのうちの少なくとも１つが含まれる。Ａ、Ｂ、Ｃ、またはＤが含まれることが理解されてよい。代替として、Ａ、Ｂ、またはＣが含まれることが理解されてよい。代替として、Ａ、Ｂ、またはＤが含まれることが理解されてよい。代替として、Ａ、Ｃ、またはＤが含まれることが理解されてよい。代替として、Ｂ、Ｃ、またはＤが含まれることが理解されてよい。代替として、ＡまたはＢが含まれることが理解されてよい。代替として、ＡまたはＣが含まれることが理解されてよい。代替として、ＡまたはＤが含まれることが理解されてよい。代替として、ＢまたはＣが含まれることが理解されてよい。代替として、ＢまたはＤが含まれることが理解されてよい。代替として、Ａが含まれることが理解されてよい。代替として、Ｂが含まれることが理解されてよい。代替として、Ｃが含まれることが理解されてよい。代替として、Ｄが含まれることが理解されてよい。代替として、Ａ、Ｂ、Ｃ、およびＤが含まれることが理解されてよい。代替として、Ａ、Ｂ、およびＣが含まれることが理解されてよい。代替として、Ａ、Ｂ、およびＤが含まれることが理解されてよい。代替として、Ａ、Ｃ、およびＤが含まれることが理解されてよい。代替として、Ｂ、Ｃ、およびＤが含まれることが理解されてよい。代替として、ＡおよびＢが含まれることが理解されてよい。代替として、ＡおよびＣが含まれることが理解されてよい。代替として、ＡおよびＤが含まれることが理解されてよい。代替として、ＢおよびＣが含まれることが理解されてよい。代替として、ＢおよびＤが含まれることが理解されてよい。これは、本出願では限定されない。同様に、ＡおよびＢのうちの少なくとも１つが含まれ、Ａ、Ｂ、およびＣのうちの少なくとも１つが含まれる。詳細については、上記の説明を参照されたい。詳細について本明細書で再び説明されない。
【００６９】
本出願の実施形態は、ワイヤレス通信方法を提供する。図３に示されているように、本方法は以下のステップを含む。
【００７０】
３０１：ネットワークデバイスが、第１のサービングセル上でインジケーション情報を送信する。
【００７１】
第１のサービングセルは、端末デバイスのすべてのサービングセルのいずれか１つであり得、端末デバイスのすべてのサービングセルは、端末デバイスのＰＣｅｌｌおよび１つまたは複数の構成またはアクティブ化されたＳＣｅｌｌを含む。
【００７２】
可能な設計では、インジケーション情報は、ＰＤＣＣＨを監視すべきでないことを（端末デバイスに）示し、言い換えれば、インジケーション情報は、ＰＤＣＣＨを予想すべきでないことを（端末デバイスに）示す。代替として、インジケーション情報は、端末デバイスにＰＤＣＣＨを送信するべきでないことをネットワークデバイスに示す。
【００７３】
別の可能な設計では、インジケーション情報は、ＰＤＣＣＨを監視すべきことを示す。
【００７４】
たとえば、インジケーション情報は、ＰＤＣＣＨを監視すべきかどうかを示すために使用されるビットを含み得る。ビットが０であるとき、それは、ＰＤＣＣＨが監視されないことを示す。ビットが１である場合、それは、ＰＤＣＣＨが監視されることを示す。
【００７５】
たとえば、インジケーション情報は、代替として、ＰＤＣＣＨを監視すべきかどうかを示すために明示的に使用されるビットを含まないことがあり、インジケーション情報は、ＰＤＣＣＨを監視すべきことを端末デバイスに暗黙的に示し得るか、またはインジケーション情報は、ＰＤＣＣＨを監視すべきでないことを端末デバイスに暗黙的に示し得る。たとえば、端末デバイスのすべてのサービングセル中の各サービングセル（たとえば、第１のサービングセル）について、端末デバイスがサービングセルのためにＰＤＣＣＨを監視しないか、またはサービングセル上でＰＤＣＣＨを監視しない場合、インジケーション情報を受信したとき、端末デバイスは、インジケーション情報に基づいてサービングセルのためにＰＤＣＣＨを監視するか、またはサービングセル上でＰＤＣＣＨを監視し得る。端末デバイスがサービングセルのためにＰＤＣＣＨを監視するか、またはサービングセル上でＰＤＣＣＨを監視する場合、インジケーション情報を受信したとき、端末デバイスは、インジケーション情報に基づいてサービングセルのためにＰＤＣＣＨを監視しないか、またはサービングセル上でＰＤＣＣＨを監視しなくてよい。
【００７６】
３０２：端末デバイスが、第１のサービングセル上でインジケーション情報を受信する。
【００７７】
インジケーション情報がＰＤＣＣＨを監視すべきでないことを示す場合、端末デバイスはステップ３０３を実施する。インジケーション情報がＰＤＣＣＨを監視すべきことを示す場合、端末デバイスはステップ３０４を実施する。
【００７８】
３０３：端末デバイスが、インジケーション情報がＰＤＣＣＨを監視すべきでないことを示す場合に第１の処理を実施する。
【００７９】
第１の処理は、第１のサービングセル上でＰＤＣＣＨを監視しないこと、少なくとも１つの第２のサービングセル中でＰＤＣＣＨを監視しないこと、第１のサービングセルのためにＰＤＣＣＨを監視しないこと、または少なくとも１つの第２のサービングセルのためにＰＤＣＣＨを監視しないことのうちの少なくとも１つを含む。第１のサービングセルがＰＣｅｌｌであるとき、少なくとも１つの第２のサービングセルは、端末デバイスの構成されたＳＣｅｌｌまたはアクティブ化されたＳＣｅｌｌを含み得ることを理解されたい。第１のサービングセルがＳＣｅｌｌであるとき、少なくとも１つの第２のサービングセルは、端末デバイスの構成されたＳＣｅｌｌおよび／もしくはＰＣｅｌｌまたはアクティブ化されたＳＣｅｌｌおよび／もしくはＰＣｅｌｌを含み得る。
【００８０】
第１のサービングセル上でＰＤＣＣＨを監視しないことは、第１のサービングセル上で、第１のサービングセルのためにＰＤＣＣＨを監視することをスキップすること、および端末デバイスの別のサービングセルのために第１のサービングセル上でＰＤＣＣＨを監視しないことのうちの少なくとも１つを含む。
【００８１】
少なくとも１つの第２のサービングセル中でＰＤＣＣＨを監視しないことは、少なくとも１つの第２のサービングセル上の各サービングセルについて、サービングセルのためのＰＤＣＣＨがサービングセル上で監視されないこと、または端末デバイスの別のサービングセルのためのＰＤＣＣＨがサービングセル上で監視されないことを示す。
【００８２】
第１のサービングセルのためにＰＤＣＣＨを監視しないことは、第１のサービングセル上で、第１のサービングセルのためにＰＤＣＣＨを監視することをスキップすること、および端末デバイスの別のサービングセル上で、第１のサービングセルのためにＰＤＣＣＨを監視することをスキップすることのうちの少なくとも１つを含む。
【００８３】
少なくとも１つの第２のサービングセルのためにＰＤＣＣＨを監視しないことは、少なくとも１つの第２のサービングセル上の各サービングセルについて、サービングセルのためのＰＤＣＣＨがサービングセル上で監視されないこと、またはサービングセルのためのＰＤＣＣＨが端末デバイスの別のサービングセル上で監視されないことを示す。
【００８４】
サービングセルのためのＰＤＣＣＨは、ＰＤＣＣＨによって示される送信がサービングセル上の送信であることを意味する。
【００８５】
可能な設計では、インジケーション情報は、第１のサービングセルおよび／または少なくとも１つの第２のサービングセルに対応する複数／１つのインデックスを含み得る。端末デバイスのサービングセルのインデックスは、ネットワークデバイスによって構成され得る。サービングセルに対応し、インジケーション情報中に含まれるインデックスは、サービングセルの、ネットワークデバイスによって構成されたインデックスであり得るか、またはサービングセルの、ネットワークデバイスによって構成されたインデックスに基づいて判定されたインデックスであり得る。たとえば、サービングセルの、ネットワークデバイスによって構成されたインデックスは、第１のインデックスとして示され、サービングセルの、インジケーション情報中に含まれるインデックスは、第２のインデックスとして示される。端末デバイスのサービングセルは、第２のインデックスを取得するために、第１のインデックスの値の順序で（降順でまたは昇順で）番号を付けられる。端末デバイスのサービングセルは、ＰＣｅｌｌおよび構成されたＳＣｅｌｌを含むか、または構成されたＳＣｅｌｌのみを含むか、またはＰＣｅｌｌおよびアクティブ化されたＳＣｅｌｌを含むか、またはアクティブ化されたＳＣｅｌｌのみを含み得る。たとえば、端末デバイスのＰＣｅｌｌおよびアクティブ化されたＳＣｅｌｌが、第２のインデックスを取得するために第１のインデックスの値の順序で番号を付けられたとき、ＰＣｅｌｌの第１のインデックスが０であり、２つのアクティブ化されたＳＣｅｌｌの第１のインデックスが１および３である場合、ＰＣｅｌｌの第２のインデックスは、０であり、第１のインデックスが１であるアクティブ化されたＳＣｅｌｌの第２のインデックスは、１であり、第１のインデックスが３であるアクティブ化されたＳＣｅｌｌの第２のインデックスは、２である。
【００８６】
代替として、インジケーション情報は、第１のサービングセルおよび／または少なくとも１つの第２のサービングセルを示すために使用されるビットマップ（ｂｉｔｍａｐ）を含む。たとえば、インジケーション情報は１つのビットマップを含んでよく、各ビット（ｂｉｔ）は１つのサービングセルに対応し、ビットマップの長さは、端末デバイスのＰＣｅｌｌおよび構成されたＳＣｅｌｌの量であり得るか、または端末デバイスの構成されたＳＣｅｌｌの量であり得るか、または端末デバイスのＰＣｅｌｌおよびアクティブ化されたＳＣｅｌｌの量であり得るか、または端末デバイスのアクティブ化されたＳＣｅｌｌの量であり得る。たとえば、ビットマップの長さが、端末デバイスのＰＣｅｌｌおよび構成されたＳＣｅｌｌの量であるとき、２つのＳＣｅｌｌが端末デバイスのために構成された場合、ビットマップの長さは３である。
【００８７】
任意選択で、端末デバイスの各サービングセルは、１つのインデックスに対応する。ビットマップ中のビットに対応するサービングセルは、サービングセルのインデックスの値の順序で判定され得る。上記の例に基づいて、ＰＣｅｌｌのインデックスが０であり、端末デバイスのために構成された２つのＳＣｅｌｌのインデックスが２および４であると仮定すると、ビットマップ中の第１のビットは、ＰＣｅｌｌに対応し得、ビットマップ中の第２のビットは、インデックスが２であるＳＣｅｌｌに対応し、ビットマップ中の第３のビットは、インデックスが４であるＳＣｅｌｌに対応する。
【００８８】
ビットマップの長さは、端末デバイスのサービングセルのインデックスの最大値に基づいて判定され得る。任意選択で、ビットマップの長さは、端末デバイスのサービングセルのインデックスの最大値＋１である。たとえば、サービングセルのインデックスの最大値が３である場合、ビットマップの長さは４である。さらに、ビットマップ中の第１のビットは、インデックスが０であるサービングセルに対応し、ビットマップ中の第２のビットは、インデックスが１であるサービングセルに対応し、ビットマップ中の第３のビットは、インデックスが２であるサービングセルに対応し、ビットマップ中の第４のビットは、インデックスが３であるサービングセルに対応する。ビットマップの長さは、代替として、端末デバイスのために構成されることが可能なサービングセルの最大量に基づいて判定され得る。任意選択で、ビットマップの長さは、端末デバイスのために構成されることが可能なサービングセルの最大量である。たとえば、ビットの値が１であるとき、それは、ビットに対応するサービングセルが、第１のサービングセルおよび／または少なくとも１つの第２のサービングセルに属することを示す。具体的には、インジケーション情報を受信した後に、端末デバイスは、ビットに対応するサービングセル上でＰＤＣＣＨを監視しないか、またはビットに対応するサービングセルのためにＰＤＣＣＨを監視しない。
【００８９】
可能な設計では、インジケーション情報がＰＤＣＣＨを監視すべきでないことを示す場合、インジケーション情報は、第１の処理を実施するための時間情報をさらに示す。時間情報は、第１のサービングセルおよび／または少なくとも１つの第２のサービングセルの各々に対応する時間長さを含み得る。たとえば、第１のサービングセルがＰＣｅｌｌであり、少なくとも１つの第２のサービングセルがＳＣｅｌｌ１およびＳＣｅｌｌ２を含むと仮定すると、ＰＣｅｌｌ、ＳＣｅｌｌ１、およびＳＣｅｌｌ２はそれぞれ、時間長さに対応し得る。たとえば、ＰＣｅｌｌは３つのスロットに対応し得、ＳＣｅｌｌ１は２つのスロットに対応し得、ＳＣｅｌｌ２は１つのスロットに対応し得る。代替として、時間情報は、第１のサービングセルおよび／または少なくとも１つの第２のサービングセルに対応する１つの時間長さを含み得る。上記の例に基づいて、ＰＣｅｌｌ、ＳＣｅｌｌ１、およびＳＣｅｌｌ２は、同じ時間長さに対応し得る。たとえば、ＰＣｅｌｌ、ＳＣｅｌｌ１、およびＳＣｅｌｌ２はそれぞれ、３つのスロットに対応する。
【００９０】
可能な設計では、端末デバイスは、端末デバイスがインジケーション情報を受信した後の第１の時間期間中に第１の処理を実施する。第１の時間期間の時間長さは、時間情報に基づいて判定され得る。第１の時間期間は、Ｍ個の時間ユニット（ｔｉｍｅ  ｕｎｉｔ）を含み得、Ｍは１以上の整数である。時間ユニットは、絶対時間、たとえば、秒、マイクロ秒、もしくはミリ秒であり得るか、またはシンボル、スロット、サブフレームなどであり得る。これは、本出願では限定されない。第１の時間期間は、代替としてＭ個のＰＤＣＣＨ監視オケージョンを含み得、Ｍは１以上の整数である。
【００９１】
任意選択で、第１の時間期間は、ネットワークデバイスによって構成され得る。たとえば、第１の時間期間は、ＲＲＣシグナリングを使用することによって構成され得るか、またはインジケーション情報中に示され得る。インジケーション情報が第１の時間期間を示すとき、インジケーション情報は、第１の時間期間の長さを示すフィールドを含み、フィールドの値は、（複数の異なる時間長さを含む）時間長さセット中の各時間長さと１対１の対応にある。たとえば、時間長さセット中の各時間長さは、インデックスに対応し、フィールドの値は、対応する時間長さに対応するインデックスである。任意選択で、時間長さセットは、ＲＲＣシグナリングを使用することによって構成され得る。
【００９２】
可能な設計では、第１のサービングセルおよび／または少なくとも１つの第２のサービングセル上の各サービングセルは、第１の時間期間に対応し得る。第１のサービングセルおよび／または少なくとも１つの第２のサービングセルに対応する第１の時間期間の時間長さは、同じであるかまたは異なる。別の可能な設計では、第１のサービングセルおよび／または少なくとも１つの第２のサービングセルは、同じ第１の時間期間に対応してよく、言い換えれば、すべてのサービングセルに対応する第１の時間期間の時間長さは、同じである。
【００９３】
任意選択で、第１のサービングセルおよび／または少なくとも１つの第２のサービングセルが、同じ第１の時間期間に対応するとき、端末デバイスは、インジケーション情報を受信した後にタイマーを開始してよく、タイマーの時間長さは、第１の時間期間の長さである。タイマーが実行するとき、端末デバイスは第１の処理を実施する。たとえば、図３ａに示されているように、第１のサービングセルがＰＣｅｌｌであり、少なくとも１つの第２のサービングセルが１つのＳＣｅｌｌを含むと仮定すると、インジケーション情報は、第１のサービングセルまたは少なくとも１つの第２のサービングセル上でＰＤＣＣＨを監視すべきでないことを端末デバイスに示す。ＰＣｅｌｌおよびＳＣｅｌｌが、同じ第１の時間期間に対応するとき、端末デバイスは、インジケーション情報を受信した後にタイマーを開始してよく、タイマーの時間長さは、第１の時間期間の長さである。タイマーが実行するとき、端末デバイスは、第１の時間期間中にＰＣｅｌｌまたはＳＣｅｌｌ上でＰＤＣＣＨを監視しなくてよい。
【００９４】
任意選択で、第１のサービングセルおよび／または少なくとも１つの第２のサービングセル中の各サービングセルが第１の時間期間に対応するとき、インジケーション情報を受信した後に、端末デバイスは、各サービングセルに対応するタイマーを開始してよく、各サービングセルに対応するタイマーの時間長さは、サービングセルに対応する第１の時間期間の長さである。端末デバイスは、対応するタイマーに基づいて第１の処理を実施する。
【００９５】
さらに、端末デバイスが第１の時間期間中に再び１つのインジケーション情報を受信すると仮定すると、１回目に受信されたインジケーション情報中の第１の時間期間の時間長さが第１の時間長さであり、２回目に受信されたインジケーション情報中の第１の時間期間の時間長さが第２の時間長さである場合、以下の場合のうちの１つまたは複数が含まれ得る。（ａ）再びインジケーション情報を受信した後に、端末デバイスが、２回目に受信されたインジケーション情報中の第１の時間期間中に第１の処理を実施する。（ｂ）再びインジケーション情報を受信し、１回目に受信されたインジケーション情報中の第１の時間期間中に第１の処理を完了した後に、端末デバイスが、２回目に受信されたインジケーション情報中の第１の時間期間中に第１の処理を実施し続ける。（ｃ）再びインジケーション情報を受信した後に、端末デバイスが、１回目に受信されたインジケーション情報中の第１の時間期間と、２回目に受信されたインジケーション情報中の第１の時間期間のユニオンセット中に第１の処理を実施する。たとえば、１回目に受信されたインジケーション情報中の第１の時間期間が、第０のサブフレームから第５のサブフレームを含み、２回目に受信されたインジケーション情報中の第１の時間期間が、第３のサブフレームから第６のサブフレームを含む場合、第１の処理を実施する総時間期間は、第０のサブフレームから第６のサブフレームを含む。
【００９６】
可能な設計では、端末デバイスは、端末デバイスがインジケーション情報を受信した後のＮ個の時間ユニットの後に第１の処理を実施してよく、Ｎは０以上である。時間ユニットは、絶対時間、たとえば、ミリ秒であり得る。時間ユニットは、代替として、シンボル、スロット、サブフレームなどであり得る。端末デバイスは、代替として、端末デバイスがインジケーション情報を受信した後のＮ個のＰＤＣＣＨ監視オケージョンの後に第１の処理を実施してよく、Ｎは０以上である。
【００９７】
可能な設計では、インジケーション情報が第１のサービングセルおよび／または少なくとも１つの第２のサービングセル上でＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。代替として、インジケーション情報が第１のサービングセルおよび／または少なくとも１つの第２のサービングセルのために複数／１つのＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視しないことは、端末デバイスがすべてのサービングセルのＰＤＣＣＨを監視しないこととして理解されてもよい。
【００９８】
可能な設計では、インジケーション情報を受信した後に、端末デバイスは、第１の時間期間中にすべてのサービングセル上でＰＤＣＣＨを監視しなくてよい。
【００９９】
任意選択で、第１の処理を実施するとき、端末デバイスは、以下の動作のうちの少なくとも１つを実施し得る。端末デバイスが、第１のサービングセルおよび／または少なくとも１つの第２のサービングセル中のチャネル上でサウンディング基準信号（ｓｏｕｎｄｉｎｇ  ｒｅｆｅｒｅｎｃｅ  ｓｉｇｎａｌ、ＳＲＳ）を送信しない、端末デバイスが、第１のサービングセルおよび／または少なくとも１つの第２のサービングセル中でチャネル状態情報（ｃｈａｎｎｅｌ  ｓｔａｔｅ  ｉｎｆｏｒｍａｔｉｏｎ、ＣＳＩ）を報告しない、端末デバイスが、第１のサービングセルおよび／または少なくとも１つの第２のサービングセル中で物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を送信しない、端末デバイスが、第１のサービングセルおよび／または少なくとも１つの第２のサービングセルを非アクティブ状態に設定する、ならびに端末デバイスが、第１のサービングセルおよび／または少なくとも１つの第２のサービングセルをスリープ状態に設定する。
【０１００】
任意選択で、第１の時間期間が終了した後に、ＵＥは、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することという動作のうちの少なくとも１つを実施し得る。
【０１０１】
任意選択で、第１の時間期間が終了した後に、ｄｒｘオン持続時間タイマーまたはｄｒｘ非アクティビティタイマーが実行中である場合、ＵＥは、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することという動作のうちの少なくとも１つを実施し得る。
【０１０２】
任意選択で、第１の時間期間が終了した後に、ｄｒｘオン持続時間タイマーおよびｄｒｘ非アクティビティタイマーが実行しない場合、ＵＥは、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、または少なくとも１つの第２のサービングセルのためにＰＤＣＣＨを監視しないことという動作のうちの少なくとも１つを実施し得る。
【０１０３】
可能な設計では、図３ｂに示されているように、オン持続時間期間タイマー（すなわち、ｄｒｘオン持続時間タイマー）が実行中であるが、非アクティビティタイマー（すなわち、ｄｒｘ非アクティビティタイマー）が実行しない場合、端末デバイスは、ＰＣｅｌｌ中でＰＤＣＣＨを監視しおよび／またはＰＣｅｌｌのためにＰＤＣＣＨを監視し、端末デバイスは、ＳＣｅｌｌ上でＰＤＣＣＨを監視せずおよび／またはＳＣｅｌｌのためにＰＤＣＣＨを監視しない。ｄｒｘ非アクティビティタイマーが実行中である場合、端末デバイスは、ＰＣｅｌｌ中でＰＤＣＣＨを監視すること、ＰＣｅｌｌのためにＰＤＣＣＨを監視すること、ＳＣｅｌｌ上でＰＤＣＣＨを監視すること、およびＳＣｅｌｌのためにＰＤＣＣＨを監視することという動作のうちの少なくとも１つを実施する。ｄｒｘ非アクティビティタイマーの実行持続時間中に、端末デバイスが第１のサービングセル上でインジケーション情報を受信し、インジケーション情報がＰＤＣＣＨを監視すべきでないことを示す場合、端末デバイスは、端末デバイスがインジケーション情報を受信した後の第１の時間期間中に第１の処理を実施する。第１のサービングセルはＰＣｅｌｌまたはＳＣｅｌｌであり得、少なくとも１つの第２のサービングセル上の各セルはＳＣｅｌｌであり得る。
【０１０４】
３０４：端末デバイスが、インジケーション情報がＰＤＣＣＨを監視すべきことを示す場合に第２の処理を実施する。
【０１０５】
第２の処理は、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することのうちの少なくとも１つを含む。
【０１０６】
第１のサービングセル上でＰＤＣＣＨを監視することは、第１のサービングセル上で、第１のサービングセルのためにＰＤＣＣＨを監視すること、および第１のサービングセル上で、端末デバイスの別のサービングセルのためにＰＤＣＣＨを監視することのうちの少なくとも１つを含む。
【０１０７】
少なくとも１つの第２のサービングセル上でＰＤＣＣＨを監視することは、少なくとも１つの第２のサービングセル上の各サービングセルについて、サービングセルのためのＰＤＣＣＨがサービングセル上で監視されること、または端末デバイスの別のサービングセルのためのＰＤＣＣＨがサービングセル上で監視されることを示す。
【０１０８】
第１のサービングセルのためにＰＤＣＣＨを監視することは、第１のサービングセル上で、第１のサービングセルのためにＰＤＣＣＨを監視すること、および端末デバイスの別のサービングセル中で、第１のサービングセルのためにＰＤＣＣＨを監視することのうちの少なくとも１つを含む。
【０１０９】
少なくとも１つの第２のサービングセルのためにＰＤＣＣＨを監視することは、少なくとも１つの第２のサービングセル上の各サービングセルについて、サービングセルのためのＰＤＣＣＨがサービングセル上で監視されること、またはサービングセルのためのＰＤＣＣＨが端末デバイスの別のサービングセル上で監視されることを示す。
【０１１０】
サービングセルのためのＰＤＣＣＨは、ＰＤＣＣＨによって示される送信がサービングセル上の送信であることを意味する。
【０１１１】
インジケーション情報がＰＤＣＣＨを監視すべきことを示す場合、インジケーション情報は、第２の処理を実施するための時間情報を示すためにさらに使用される。時間情報については、ステップ３０３における関係する説明を参照されたい。詳細について本明細書で再び説明されない。
【０１１２】
可能な設計では、インジケーション情報は、第１のサービングセルおよび／または少なくとも１つの第２のサービングセルに対応する複数／１つのインデックスを含み得る。代替として、インジケーション情報は、第１のサービングセルおよび／または少なくとも１つの第２のサービングセルを示すために使用されるビットマップを含む。関係する処理については、ステップ３０３における説明を参照されたい。詳細について本明細書で再び説明されない。
【０１１３】
可能な設計では、端末デバイスは、端末デバイスがインジケーション情報を受信した後の第２の時間期間中に第２の処理を実施する。特定の処理については、端末デバイスが、ステップ３０３において端末デバイスがインジケーション情報を受信した後の第１の時間期間中に第１の処理を実施する関係する説明を参照されたい。
【０１１４】
可能な設計では、第２の時間期間中に、ｄｒｘオン持続時間タイマーおよびｄｒｘ非アクティビティタイマーが実行しない場合、ＵＥは、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、または少なくとも１つの第２のサービングセルのためにＰＤＣＣＨを監視しないことという動作のうちの少なくとも１つを実施し得る。ｄｒｘオン持続時間タイマーまたはｄｒｘ非アクティビティタイマーが実行する場合、ＵＥは、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することという動作のうちの少なくとも１つを実施し得る。
【０１１５】
可能な設計では、端末デバイスは、端末デバイスがインジケーション情報を受信した後のＮ個の時間ユニットの後に第２の処理を実施してよく、Ｎは０以上である。時間ユニットは、絶対時間、たとえば、ミリ秒であり得る。時間ユニットは、代替として、シンボル、スロット、サブフレームなどであり得る。端末デバイスは、代替として、端末デバイスがインジケーション情報を受信した後のＮ個のＰＤＣＣＨ監視オケージョンの後に第２の処理を実施してよく、Ｎは０以上である。
【０１１６】
可能な設計では、インジケーション情報が第１のサービングセルおよび／または少なくとも１つの第２のサービングセル上でＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。代替として、インジケーション情報が第１のサービングセルおよび／または少なくとも１つの第２のサービングセルのために複数／１つのＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視することは、端末デバイスがすべてのサービングセルのＰＤＣＣＨを監視することとして理解されてもよい。
【０１１７】
可能な設計では、インジケーション情報を受信した後に、端末デバイスは、第２の時間期間中にすべてのサービングセル上でＰＤＣＣＨを監視し得る。
【０１１８】
加えて、インジケーション情報がＰＤＣＣＨを監視すべきでないことを示すが、以下の場合のうちの少なくとも１つが発生する場合、端末デバイスは第２の処理を実施する。（１）ダウンリンク再送信タイマーが実行状態にある。たとえば、ダウンリンク再送信タイマーはｄｒｘ再送信タイマーＤＬであり得る。（２）アップリンク再送信タイマーが実行状態にある。たとえば、アップリンク再送信タイマーはｄｒｘ再送信タイマーＵＬであり得る。（３）端末デバイスによって送信されるスケジューリング要求（ｓｃｈｅｄｕｌｉｎｇ  ｒｅｑｕｅｓｔ、ＳＲ）が保留状態にある。（４）ランダムアクセス応答（ｒａｎｄｏｍ  ａｃｃｅｓｓ  ｒｅｓｐｏｎｓｅ、ＲＡＲ）を正常に受信した後に、端末デバイスが、新しい送信を示すＰＤＣＣＨを受信しない。新しい送信を示すＰＤＣＣＨは、セル無線ネットワーク一時識別情報Ｃ−ＲＮＴＩを使用することによってスクランブルされ、ＲＡＲは、ターゲットランダムアクセスプリアンブルに対する応答であり、ターゲットランダムアクセスプリアンブルは、競合ベースのランダムアクセスプリアンブルに属しない。
【０１１９】
任意選択で、端末デバイスが第２の処理を実施するとき、端末デバイスは、第１のサービングセルおよび／または少なくとも１つの第２のサービングセルをアクティブにする。
【０１２０】
任意選択で、第２の時間期間が終了した後に、ＵＥは、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、または少なくとも１つの第２のサービングセルのためにＰＤＣＣＨを監視しないことという動作のうちの少なくとも１つを実施し得る。
【０１２１】
任意選択で、第２の時間期間が終了した後に、ｄｒｘオン持続時間タイマーまたはｄｒｘ非アクティビティタイマーが実行中である場合、ＵＥは、第２の処理を実施し続け得る。
【０１２２】
任意選択で、第２の時間期間が終了した後に、ｄｒｘオン持続時間タイマーおよびｄｒｘ非アクティビティタイマーが実行しない場合、ＵＥは、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、または少なくとも１つの第２のサービングセルのためにＰＤＣＣＨを監視しないことという動作のうちの少なくとも１つを実施し得る。
【０１２３】
可能な設計では、図３ｃに示されているように、端末デバイスが第１のサービングセル上でインジケーション情報を受信する前に、ｄｒｘオン持続時間タイマーまたはｄｒｘ非アクティビティタイマーが実行中である場合、端末デバイスは、ＰＣｅｌｌ上でＰＤＣＣＨを監視しおよび／またはＰＣｅｌｌのためにＰＤＣＣＨを監視し、端末デバイスは、ＳＣｅｌｌ上でＰＤＣＣＨを監視せずおよび／またはＳＣｅｌｌのためにＰＤＣＣＨを監視しない。ｄｒｘ非アクティビティタイマーの実行持続時間中に、端末デバイスが第１のサービングセル上でインジケーション情報を受信し、インジケーション情報がＰＤＣＣＨを監視すべきことを示す場合、端末デバイスは、端末デバイスがインジケーション情報を受信した後の第２の時間期間中に第２の処理を実施する。第１のサービングセルはＰＣｅｌｌまたはＳＣｅｌｌであり得、少なくとも１つの第２のサービングセル上の各セルはＳＣｅｌｌであり得る。
【０１２４】
本出願のこの実施形態において提供される解決策によれば、端末デバイスが第１のサービングセル上でインジケーション情報を受信した後に、インジケーション情報がＰＤＣＣＨを監視すべきでないことを示す場合、端末デバイスは、端末デバイスによってＰＤＣＣＨを監視する電力消費量を低減するために、第１の処理を実施してよく、すなわち、対応してＰＤＣＣＨを監視しなくてよい。
【０１２５】
本出願の別の実施形態は、ワイヤレス通信方法を提供する。図４に示されているように、本方法は以下のステップを含む。
【０１２６】
４０１：ネットワークデバイスが、第１のタイマーの実行持続時間中に第１のサービングセル上でインジケーション情報を送信する。
【０１２７】
インジケーション情報については、ステップ３０１における関係する説明を参照されたい。詳細について本明細書で再び説明されない。
【０１２８】
４０２：端末デバイスが、第１のタイマーの実行持続時間中に第１のサービングセル上でインジケーション情報を受信する。
【０１２９】
第１のタイマーは、端末デバイスがＰＤＣＣＨを受信した後に端末デバイスによってＰＤＣＣＨを監視するための時間長さを判定するように構成される。代替として、第１のタイマーは、ＤＲＸサイクル中に端末デバイスによってＰＤＣＣＨを監視するための時間長さを判定するように構成される。代替として、第１のタイマーは、ＤＲＸサイクルのオン持続時間期間（Ｏｎ−ｄｕｒａｔｉｏｎ  ｐｅｒｉｏｄ）の時間長さを判定するように構成される。
【０１３０】
たとえば、第１のタイマーは、ｄｒｘオン持続時間タイマーまたはｄｒｘ非アクティビティタイマーであり得る。
【０１３１】
インジケーション情報がＰＤＣＣＨを監視すべきでないことを示す場合、端末デバイスはステップ４０３を実施する。インジケーション情報がＰＤＣＣＨを監視すべきことを示す場合、端末デバイスはステップ４０４を実施する。
【０１３２】
４０３：端末デバイスが、インジケーション情報がＰＤＣＣＨを監視すべきでないことを示す場合に第１の処理を実施する。
【０１３３】
端末デバイスがインジケーション情報を受信した後に、端末デバイスは、第１のタイマーの（現在の）実行持続時間中に、または第１のタイマーの（現在の）実行持続時間中に、および第１のタイマーが開始されたｎ個の連続する時間の後の実行持続時間中に、または第１のタイマーの（現在の）実行持続時間の後に第１のタイマーが開始されたｎ個の連続する時間の後の実行持続時間中に第１の処理を実施する。本明細書では、ｎは１以上の整数である。たとえば、ｎは、２、３、４、または５である。第１の処理については、ステップ３０３における関係する説明を参照されたい。詳細について本明細書で再び説明されない。
【０１３４】
たとえば、図４ａに示されているように、端末デバイスが第１のタイマー（たとえば、ｄｒｘオン持続時間タイマー）の実行持続時間中にインジケーション情報を受信する場合、インジケーション情報を受信した後に、端末デバイスは、ｄｒｘオン持続時間タイマーの現在の実行持続時間中に第１の処理を実施するか、またはｄｒｘオン持続時間タイマーの現在の実行持続時間中に、およびｄｒｘオン持続時間タイマーが開始されたｎ個の連続する時間の後の実行持続時間中に第１の処理を実施し、すなわち、ｄｒｘオン持続時間タイマーの現在の実行持続時間中に、およびｄｒｘオン持続時間タイマーが１回目に開始された（すなわち、ｄｒｘオン持続時間タイマーの現在の実行持続時間が終了した後の次の始動）後の実行持続時間から、ｄｒｘオン持続時間タイマーがｎ回目に開始された後の実行持続時間までの各々中の実行持続時間中に第１の処理を実施するか、またはｄｒｘオン持続時間タイマーの現在の実行持続時間の後にｄｒｘオン持続時間タイマーが開始されたｎ個の連続する時間の後の実行持続時間中に第１の処理を実施し、すなわち、ｄｒｘオン持続時間タイマーの現在の実行持続時間が終了した後にｄｒｘオン持続時間タイマーが１回目に開始された後の実行持続時間から、ｄｒｘオン持続時間タイマーがｎ回目に開始された後の実行持続時間までの各々中に第１の処理を実施し得る。
【０１３５】
任意選択で、第１のタイマーがｄｒｘオン持続時間タイマーであるとき、ｄｒｘオン持続時間タイマーが１回目に開始された（すなわち、ｄｒｘオン持続時間タイマーの現在の実行持続時間が終了した後の次の始動）後に、またはｄｒｘオン持続時間タイマーがｎ回目に開始された後に、ＵＥは、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することという動作のうちの少なくとも１つを実施し得る。
【０１３６】
ｄｒｘオン持続時間タイマーが実行するが、ｄｒｘ非アクティビティタイマーが実行しないときに端末デバイスがインジケーション情報を受信する場合、インジケーション情報を受信した後に、端末デバイスは、ｄｒｘオン持続時間タイマーの現在の実行持続時間中に第１の処理を実施するか、またはｄｒｘオン持続時間タイマーの現在の実行持続時間中に、およびｄｒｘオン持続時間タイマーが開始されたｎ個の連続する時間の後の実行持続時間中に第１の処理を実施するか、またはｄｒｘオン持続時間タイマーの現在の実行持続時間の後にｄｒｘオン持続時間タイマーが開始されたｎ個の連続する時間の後の実行持続時間中に第１の処理を実施し得る。
【０１３７】
任意選択で、第１のタイマーの実行持続時間中にインジケーション情報を受信した後に、端末デバイスは、第１のタイマーを停止し、第１の処理を実施し得る。
【０１３８】
任意選択で、端末デバイスは、端末デバイスがインジケーション情報を受信した後のＮ個の時間ユニットの後に第１のタイマーを停止してよく、Ｎは０以上である。時間ユニットは、絶対時間、たとえば、ミリ秒であり得る。時間ユニットは、代替として、シンボル、スロット、サブフレームなどであり得る。端末デバイスは、代替として、端末デバイスがインジケーション情報を受信した後のＮ個のＰＤＣＣＨ監視オケージョンの後に第１のタイマーを停止してよく、Ｎは０以上である。
【０１３９】
第１のタイマーがｄｒｘオン持続時間タイマーであるとき、端末デバイスは、ｄｒｘオン持続時間タイマーの実行持続時間中にインジケーション情報を受信した後にｄｒｘオン持続時間タイマーを停止してよい。任意選択で、端末デバイスは、端末デバイスがインジケーション情報を受信した後のＮ個の時間ユニットの後にｄｒｘオン持続時間タイマーを停止する。端末デバイスは、代替として、端末デバイスがインジケーション情報を受信した後のＮ個のＰＤＣＣＨ監視オケージョンの後にｄｒｘオン持続時間タイマーを停止してよい。
【０１４０】
可能な設計では、インジケーション情報が第１のサービングセルおよび／もしくは少なくとも１つの第２のサービングセル上でＰＤＣＣＨを監視すべきでないことを示す場合、またはインジケーション情報が第１のサービングセルおよび／もしくは少なくとも１つの第２のサービングセルのために複数／１つのＰＤＣＣＨを監視すべきでないことを示す場合、第１のサービングセルおよび／もしくは少なくとも１つの第２のサービングセルがＰＣｅｌｌを含むとき、端末デバイスは、インジケーション情報を受信した後に第１のタイマーを停止するか、または第１のサービングセルおよび／もしくは少なくとも１つの第２のサービングセルがＰＣｅｌｌを含む／含まないとき、端末デバイスは、インジケーション情報を受信した後に第１のタイマーを停止しないことがある。
【０１４１】
たとえば、第１のタイマーがｄｒｘオン持続時間タイマーであるとき、インジケーション情報が第１のサービングセルおよび／もしくは少なくとも１つの第２のサービングセル上でＰＤＣＣＨを監視すべきでないことを示す場合、またはインジケーション情報が第１のサービングセルおよび／もしくは少なくとも１つの第２のサービングセルのために複数／１つのＰＤＣＣＨを監視すべきでないことを示す場合、第１のサービングセルおよび／もしくは少なくとも１つの第２のサービングセルがＰＣｅｌｌを含むとき、端末デバイスは、インジケーション情報を受信した後にｄｒｘオン持続時間タイマーを停止するか、または第１のサービングセルおよび／もしくは少なくとも１つの第２のサービングセルがＰＣｅｌｌを含む／含まないとき、端末デバイスは、インジケーション情報を受信した後にｄｒｘオン持続時間タイマーを停止しないことがある。
【０１４２】
第１のタイマーがｄｒｘ非アクティビティタイマーであるとき、端末デバイスがｄｒｘ非アクティビティタイマーの実行持続時間中にインジケーション情報を受信する場合、インジケーション情報を受信した後に、端末デバイスは、ｄｒｘ非アクティビティタイマーの現在の実行持続時間中に第１の処理を実施するか、またはｄｒｘ非アクティビティタイマーの現在の実行持続時間中に、およびｄｒｘ非アクティビティタイマーが開始されたｎ個の連続する時間の後の実行持続時間中に第１の処理を実施するか、またはｄｒｘ非アクティビティタイマーの現在の実行持続時間の後にｄｒｘ非アクティビティタイマーが開始されたｎ個の連続する時間の後の実行持続時間中に第１の処理を実施し得る。
【０１４３】
ｄｒｘ非アクティビティタイマーが実行するが、ｄｒｘオン持続時間タイマーが実行しないときに端末デバイスがインジケーション情報を受信する場合、インジケーション情報を受信した後に、端末デバイスは、ｄｒｘ非アクティビティタイマーの現在の実行持続時間中に第１の処理を実施するか、またはｄｒｘ非アクティビティタイマーの現在の実行持続時間中に、およびｄｒｘ非アクティビティタイマーが開始されたｎ個の連続する時間の後の実行持続時間中に第１の処理を実施するか、またはｄｒｘ非アクティビティタイマーの現在の実行持続時間の後にｄｒｘ非アクティビティタイマーが開始されたｎ個の連続する時間の後の実行持続時間中に第１の処理を実施し得る。
【０１４４】
ｄｒｘ非アクティビティタイマーおよびｄｒｘオン持続時間タイマーが実行するときに端末デバイスがインジケーション情報を受信する場合、インジケーション情報を受信した後に、端末デバイスは、ｄｒｘ非アクティビティタイマーの現在の実行持続時間中に第１の処理を実施するか、またはｄｒｘ非アクティビティタイマーの現在の実行持続時間中に、およびｄｒｘ非アクティビティタイマーが開始されたｎ個の連続する時間の後の実行持続時間中に第１の処理を実施するか、またはｄｒｘ非アクティビティタイマーの現在の実行持続時間の後にｄｒｘ非アクティビティタイマーが開始されたｎ個の連続する時間の後の実行持続時間中に第１の処理を実施し得る。
【０１４５】
任意選択で、ｄｒｘ非アクティビティタイマーの実行持続時間中にインジケーション情報を受信した後に、端末デバイスは、ｄｒｘ非アクティビティタイマーを停止してよい。端末デバイスは、端末デバイスがインジケーション情報を受信した後のＮ個の時間ユニットの後にｄｒｘ非アクティビティタイマーを停止してよい。端末デバイスは、代替として、端末デバイスがインジケーション情報を受信した後のＮ個のＰＤＣＣＨ監視オケージョンの後にｄｒｘ非アクティビティタイマーを停止してよい。
【０１４６】
第１のタイマーがｄｒｘ非アクティビティタイマーであるとき、インジケーション情報が第１のサービングセルおよび／もしくは少なくとも１つの第２のサービングセル上でＰＤＣＣＨを監視すべきでないことを示す場合、またはインジケーション情報が第１のサービングセルおよび／もしくは少なくとも１つの第２のサービングセルのために複数／１つのＰＤＣＣＨを監視すべきでないことを示す場合、第１のサービングセルおよび／もしくは少なくとも１つの第２のサービングセルがＰＣｅｌｌを含むとき、端末デバイスは、インジケーション情報を受信した後にｄｒｘ非アクティビティタイマーを停止するか、または第１のサービングセルおよび／もしくは少なくとも１つの第２のサービングセルがＰＣｅｌｌを含む／含まないとき、端末デバイスは、インジケーション情報を受信した後にｄｒｘ非アクティビティタイマーを停止しないことがある。
【０１４７】
任意選択で、ｄｒｘ非アクティビティタイマーが停止した後に、ｄｒｘオン持続時間タイマーが実行中である場合、ｄｒｘオン持続時間タイマーの実行持続時間中に、ＵＥは、第１のサービングセル上でＰＤＣＣＨを監視すること、少なくとも１つの第２のサービングセル上でＰＤＣＣＨを監視すること、第１のサービングセルのためにＰＤＣＣＨを監視すること、または少なくとも１つの第２のサービングセルのためにＰＤＣＣＨを監視することという動作のうちの少なくとも１つを実施し得る。
【０１４８】
可能な設計では、インジケーション情報が第１のサービングセルおよび／または少なくとも１つの第２のサービングセル上でＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。インジケーション情報が第１のサービングセルおよび／または少なくとも１つの第２のサービングセルのために複数／１つのＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視しないことは、端末デバイスがすべてのサービングセルのＰＤＣＣＨを監視しないこととして理解されてもよい。
【０１４９】
任意選択で、インジケーション情報を受信した後に、端末デバイスは、第１のタイマーの実行持続時間中に、または第１のタイマーの実行持続時間中に、および第１のタイマーが開始されたｎ個の連続する時間の後の実行持続時間中に、または第１のタイマーの実行持続時間の後に第１のタイマーが開始されたｎ個の連続する時間の後の実行持続時間中にすべてのサービングセル上でＰＤＣＣＨを監視しないことがある。
【０１５０】
任意選択で、第１の処理を実施するとき、端末デバイスは、以下の動作のうちの少なくとも１つを実施し得る。端末デバイスが、第１のサービングセルおよび／または少なくとも１つの第２のサービングセル中でＳＲＳを送信しない、端末デバイスが、第１のサービングセルおよび／または少なくとも１つの第２のサービングセル中でＣＳＩを報告しない、端末デバイスが、第１のサービングセルおよび／または少なくとも１つの第２のサービングセル中でＰＵＣＣＨを送信しない、端末デバイスが、第１のサービングセルおよび／または少なくとも１つの第２のサービングセルを非アクティブ状態に設定する、ならびに端末デバイスが、第１のサービングセルおよび／または少なくとも１つの第２のサービングセルをスリープ状態に設定する。
【０１５１】
可能な設計では、図４ｂに示されているように、ｄｒｘオン持続時間タイマーが実行中であるが、ｄｒｘ非アクティビティタイマーが実行しない場合、端末デバイスは、ＰＣｅｌｌ上でＰＤＣＣＨを監視しおよび／またはＰＣｅｌｌのためにＰＤＣＣＨを監視し、端末デバイスは、ＳＣｅｌｌ上でＰＤＣＣＨを監視せずおよび／またはＳＣｅｌｌのためにＰＤＣＣＨを監視しない。ｄｒｘ非アクティビティタイマーが実行中である場合、端末デバイスは、ＰＣｅｌｌ上でＰＤＣＣＨを監視すること、ＰＣｅｌｌのためにＰＤＣＣＨを監視すること、ＳＣｅｌｌ上でＰＤＣＣＨを監視すること、およびＳＣｅｌｌのためにＰＤＣＣＨを監視することという動作のうちの少なくとも１つを実施する。ｄｒｘ非アクティビティタイマーの実行持続時間中に、端末デバイスが第１のサービングセル上でインジケーション情報を受信し、インジケーション情報がＰＤＣＣＨを監視すべきでないことを示す場合、端末デバイスは、インジケーション情報を受信した後にｄｒｘ非アクティビティタイマーの現在の実行持続時間中に第１の処理を実施し得る。第１のサービングセルはＰＣｅｌｌまたはＳＣｅｌｌであり得、少なくとも１つの第２のサービングセル上の各セルはＳＣｅｌｌであり得る。
【０１５２】
４０４：端末デバイスが、インジケーション情報がＰＤＣＣＨを監視すべきことを示す場合に第２の処理を実施する。
【０１５３】
端末デバイスがインジケーション情報を受信した後に、端末デバイスは、第１のタイマーの（現在の）実行持続時間中に、または第１のタイマーの（現在の）実行持続時間中に、および第１のタイマーが開始されたｍ個の連続する時間の後の実行持続時間中に、または第１のタイマーの（現在の）実行持続時間の後に第１のタイマーが開始されたｍ個の連続する時間の後の実行持続時間中に第２の処理を実施し、ｍは１以上の整数である。第２の処理については、ステップ３０４における関係する説明を参照されたい。詳細について本明細書で再び説明されない。
【０１５４】
たとえば、第１のタイマーがｄｒｘオン持続時間タイマーであるとき、端末デバイスがｄｒｘオン持続時間タイマーの実行持続時間中にインジケーション情報を受信する場合、インジケーション情報を受信した後に、端末デバイスは、ｄｒｘオン持続時間タイマーの現在の実行持続時間中に第２の処理を実施するか、またはｄｒｘオン持続時間タイマーの現在の実行持続時間中に、およびｄｒｘオン持続時間タイマーが開始されたｎ個の連続する時間の後の実行持続時間中に第２の処理を実施するか、またはｄｒｘオン持続時間タイマーの現在の実行持続時間の後にｄｒｘオン持続時間タイマーが開始されたｎ個の連続する時間の後の実行持続時間中に第２の処理を実施し得る。
【０１５５】
任意選択で、ｄｒｘオン持続時間タイマーが実行するが、ｄｒｘ非アクティビティタイマーが実行しないときに端末デバイスがインジケーション情報を受信する場合、端末デバイスがインジケーション情報を受信した後に、端末デバイスは、ｄｒｘオン持続時間タイマーの現在の実行持続時間中に第２の処理を実施するか、またはｄｒｘオン持続時間タイマーの現在の実行持続時間中に、およびｄｒｘオン持続時間タイマーが開始されたｎ個の連続する時間の後の実行持続時間中に第２の処理を実施するか、またはｄｒｘオン持続時間タイマーの現在の実行持続時間の後にｄｒｘオン持続時間タイマーが開始されたｎ個の連続する時間の後の実行持続時間中に第２の処理を実施し得る。
【０１５６】
第１のタイマーがｄｒｘ非アクティビティタイマーであるとき、端末デバイスがｄｒｘ非アクティビティタイマーの実行持続時間中にインジケーション情報を受信する場合、インジケーション情報を受信した後に、端末デバイスは、ｄｒｘ非アクティビティタイマーの現在の実行持続時間中に第２の処理を実施するか、またはｄｒｘ非アクティビティタイマーの現在の実行持続時間中に、およびｄｒｘ非アクティビティタイマーが開始されたｎ個の連続する時間の後の実行持続時間中に第２の処理を実施するか、またはｄｒｘ非アクティビティタイマーの現在の実行持続時間の後にｄｒｘ非アクティビティタイマーが開始されたｎ個の連続する時間の後の実行持続時間中に第２の処理を実施し得る。
【０１５７】
任意選択で、ｄｒｘ非アクティビティタイマーが実行するが、ｄｒｘオン持続時間タイマーが実行しないときに端末デバイスがインジケーション情報を受信する場合、端末デバイスがインジケーション情報を受信した後に、端末デバイスは、ｄｒｘ非アクティビティタイマーの現在の実行持続時間中に第２の処理を実施するか、またはｄｒｘ非アクティビティタイマーの現在の実行持続時間中に、およびｄｒｘ非アクティビティタイマーが開始されたｎ個の連続する時間の後の実行持続時間中に第２の処理を実施するか、またはｄｒｘ非アクティビティタイマーの現在の実行持続時間の後にｄｒｘ非アクティビティタイマーが開始されたｎ個の連続する時間の後の実行持続時間中に第２の処理を実施し得る。
【０１５８】
任意選択で、ｄｒｘ非アクティビティタイマーおよびｄｒｘオン持続時間タイマーが実行するときに端末デバイスがインジケーション情報を受信する場合、端末デバイスがインジケーション情報を受信した後に、端末デバイスは、ｄｒｘ非アクティビティタイマーの現在の実行持続時間中に第２の処理を実施するか、またはｄｒｘ非アクティビティタイマーの現在の実行持続時間中に、およびｄｒｘ非アクティビティタイマーが開始されたｎ個の連続する時間の後の実行持続時間中に第２の処理を実施するか、またはｄｒｘ非アクティビティタイマーの現在の実行持続時間の後にｄｒｘ非アクティビティタイマーが開始されたｎ個の連続する時間の後の実行持続時間中に第２の処理を実施し得る。
【０１５９】
可能な設計では、インジケーション情報が第１のサービングセルおよび／または少なくとも１つの第２のサービングセル上でＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。代替として、インジケーション情報が第１のサービングセルおよび／または少なくとも１つの第２のサービングセルのために複数／１つのＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視することは、端末デバイスがすべてのサービングセルのＰＤＣＣＨを監視することとして理解されてもよい。
【０１６０】
任意選択で、インジケーション情報を受信した後に、端末デバイスは、第１のタイマーの実行持続時間中に、または第１のタイマーの実行持続時間中に、および第１のタイマーが開始されたｎ個の連続する時間の後の実行持続時間中に、または第１のタイマーの実行持続時間の後に第１のタイマーが開始されたｎ個の連続する時間の後の実行持続時間中にすべてのサービングセル上でＰＤＣＣＨを監視し得る。
【０１６１】
加えて、インジケーション情報がＰＤＣＣＨを監視すべきでないことを示すが、以下の場合のうちの少なくとも１つが発生する場合、端末デバイスは第２の処理を実施する。（１）ダウンリンク再送信タイマーが実行状態にある。たとえば、ダウンリンク再送信タイマーはｄｒｘ再送信タイマーＤＬであり得る。（２）アップリンク再送信タイマーが実行状態にある。たとえば、アップリンク再送信タイマーはｄｒｘ再送信タイマーＵＬであり得る。（３）端末デバイスによって送信されるＳＲが保留状態にある。（４）ＲＡＲを正常に受信した後に、端末デバイスが、新しい送信を示すＰＤＣＣＨを受信しない。新しい送信を示すＰＤＣＣＨは、セル無線ネットワーク一時識別情報Ｃ−ＲＮＴＩを使用することによってスクランブルされ、ＲＡＲは、ターゲットランダムアクセスプリアンブルに対する応答であり、ターゲットランダムアクセスプリアンブルは、競合ベースのランダムアクセスプリアンブルに属しない。
【０１６２】
加えて、端末デバイスが第１のタイマーの（たとえば、第１のタイマーが実行する前の）非実行持続時間中にインジケーション情報を受信した後に、端末デバイスは、第１のタイマーの実行持続時間中に、または第１のタイマーの実行持続時間中に、および第１のタイマーが開始されたｍ個の連続する時間の後の実行持続時間中に、または第１のタイマーの実行持続時間の後に第１のタイマーが開始されたｍ個の連続する時間の後の実行持続時間中に第２の処理を実施し得る。
【０１６３】
任意選択で、端末デバイスが第２の処理を実施するとき、端末デバイスは、第１のサービングセルおよび／または少なくとも１つの第２のサービングセルをアクティブにする。
【０１６４】
本出願のこの実施形態において提供される解決策によれば、端末デバイスが第１のサービングセル上でインジケーション情報を受信した後に、インジケーション情報がＰＤＣＣＨを監視すべきでないことを示す場合、端末デバイスは、端末デバイスによってＰＤＣＣＨを監視する電力消費量を低減するために、第１の処理を実施してよく、すなわち、対応してＰＤＣＣＨを監視しなくてよい。
【０１６５】
本出願のさらに別の実施形態は、ワイヤレス通信方法を提供する。図５に示されているように、本方法は以下のステップを含む。
【０１６６】
５０１：ネットワークデバイスが、第１のＤＲＸサイクルのオン持続時間期間の前に第１のサービングセル上でインジケーション情報を送信する。
【０１６７】
言い換えれば、ネットワークデバイスは、第１のＤＲＸサイクルのオン持続時間期間の前に第１のサービングセル上でインジケーション情報を送信する。
【０１６８】
任意選択で、ネットワークデバイスは、ＤＲＸサイクルのオン持続時間期間中にインジケーション情報を送信し得る。
【０１６９】
インジケーション情報については、ステップ３０１における関係する説明を参照されたい。詳細について本明細書で再び説明されない。
【０１７０】
５０２：端末デバイスが、第１のＤＲＸサイクルのオン持続時間期間の前に第１のサービングセル上でインジケーション情報を受信する。
【０１７１】
言い換えれば、端末デバイスは、第１のＤＲＸサイクルのオン持続時間期間の前に第１のサービングセル上でインジケーション情報を受信する。
【０１７２】
任意選択で、端末デバイスは、ＤＲＸサイクルのオン持続時間期間中にインジケーション情報を受信し得る。
【０１７３】
インジケーション情報がＰＤＣＣＨを監視すべきでないことを示す場合、端末デバイスはステップ５０３を実施する。インジケーション情報がＰＤＣＣＨを監視すべきことを示す場合、端末デバイスはステップ５０４を実施する。
【０１７４】
５０３：端末デバイスが、インジケーション情報がＰＤＣＣＨを監視すべきでないことを示す場合に第１の処理を実施する。
【０１７５】
インジケーション情報を受信した後に、端末デバイスは、オン持続時間期間の１つまたは複数のセグメント中に第１の処理を実施する。インジケーション情報を受信した後に、端末デバイスは、１つまたは複数のＤＲＸサイクル中に第１の処理を実施することも理解されよう。第１の処理については、ステップ３０３における関係する説明を参照されたい。詳細について本明細書で再び説明されない。
【０１７６】
図５ａに示されているように、第１のＤＲＸサイクルのオン持続時間期間の前にインジケーション情報を受信した後に、端末デバイスは、第１のＤＲＸサイクルのオン持続時間期間中に第１の処理を実施し得るか、または第１のＤＲＸサイクルのオン持続時間期間中に、および第１のＤＲＸサイクルの後の少なくとも１つのＤＲＸサイクルのオン持続時間期間中に第１の処理を実施し、すなわち、第１のＤＲＸサイクルのオン持続時間期間中に、および１番目のＤＲＸサイクル（すなわち、第１のＤＲＸサイクルの後の次のＤＲＸサイクル）から、第１のＤＲＸサイクルの後のｒ番目のＤＲＸサイクルまでの各々のオン持続時間期間中に第１の処理を実施し得るか、または第１のＤＲＸサイクルの後の少なくとも１つのＤＲＸサイクルのオン持続時間期間中に第１の処理を実施し、すなわち、第１のＤＲＸサイクルの後の１番目のＤＲＸサイクルからｒ番目のＤＲＸサイクルまでの各々のオン持続時間期間中に第１の処理を実施し得る。本明細書では、ｒは１以上の整数である。
【０１７７】
可能な設計では、インジケーション情報が第１のサービングセルおよび／または少なくとも１つの第２のサービングセル上でＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。インジケーション情報が第１のサービングセルおよび／または少なくとも１つの第２のサービングセルのために複数／１つのＰＤＣＣＨを監視すべきでないことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視しない。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視しないことは、端末デバイスがすべてのサービングセルのＰＤＣＣＨを監視しないこととして理解されてもよい。
【０１７８】
任意選択で、インジケーション情報を受信した後に、端末デバイスは、第１のＤＲＸサイクルのオン持続時間期間中にすべてのサービングセル上でＰＤＣＣＨを監視しなくてよいか、または第１のＤＲＸサイクルのオン持続時間期間中に、および第１のＤＲＸサイクルの後の少なくとも１つのＤＲＸサイクルのオン持続時間期間中にすべてのサービングセル上でＰＤＣＣＨを監視しなくてよいか、または第１のＤＲＸサイクルの後の少なくとも１つのＤＲＸサイクルのオン持続時間期間中にすべてのサービングセル上でＰＤＣＣＨを監視しなくてよい。
【０１７９】
任意選択で、第１の処理を実施するとき、端末デバイスは、以下の動作のうちの少なくとも１つを実施し得る。端末デバイスが、第１のサービングセルおよび／または少なくとも１つの第２のサービングセル中でＳＲＳを送信しない、端末デバイスが、第１のサービングセルおよび／または少なくとも１つの第２のサービングセル中でＣＳＩを報告しない、端末デバイスが、第１のサービングセルおよび／または少なくとも１つの第２のサービングセル中でＰＵＣＣＨを送信しない、端末デバイスが、第１のサービングセルおよび／または少なくとも１つの第２のサービングセルを非アクティブ状態に設定する、ならびに端末デバイスが、第１のサービングセルおよび／または少なくとも１つの第２のサービングセルをスリープ状態に設定する。
【０１８０】
５０４：端末デバイスが、インジケーション情報がＰＤＣＣＨを監視すべきことを示す場合に第２の処理を実施する。
【０１８１】
インジケーション情報を受信した後に、端末デバイスは、オン持続時間期間の１つまたは複数のセグメント中に第２の処理を実施する。インジケーション情報を受信した後に、端末デバイスは、１つまたは複数のＤＲＸサイクル中に第２の処理を実施することも理解されよう。第２の処理については、ステップ３０４における関係する説明を参照されたい。詳細について本明細書で再び説明されない。
【０１８２】
任意選択で、インジケーション情報を受信した後に、端末デバイスは、第１のＤＲＸサイクルのオン持続時間期間中に第２の処理を実施し得るか、または第１のＤＲＸサイクルのオン持続時間期間中に、および第１のＤＲＸサイクルの後の少なくとも１つのＤＲＸサイクルのオン持続時間期間中に第２の処理を実施し得るか、または第１のＤＲＸサイクルの後の少なくとも１つのＤＲＸサイクルのオン持続時間期間中に第２の処理を実施し得る。
【０１８３】
可能な設計では、インジケーション情報が第１のサービングセルおよび／または少なくとも１つの第２のサービングセル上でＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。インジケーション情報が第１のサービングセルおよび／または少なくとも１つの第２のサービングセルのために複数／１つのＰＤＣＣＨを監視すべきことを示し、第１のサービングセルおよび／または少なくとも１つの第２のサービングセルがＰＣｅｌｌを含む場合、端末デバイスは、端末デバイスのすべてのサービングセル上でＰＤＣＣＨを監視する。端末デバイスのすべてのサービングセルは、端末デバイスのＰＣｅｌｌおよび１つまたは複数の構成またはアクティブ化されたＳＣｅｌｌを含む。端末デバイスがすべてのサービングセル上でＰＤＣＣＨを監視することは、端末デバイスがすべてのサービングセルのＰＤＣＣＨを監視することとして理解されてもよい。
【０１８４】
任意選択で、インジケーション情報を受信した後に、端末デバイスは、第１のＤＲＸサイクルのオン持続時間期間中にすべてのサービングセル上でＰＤＣＣＨを監視し得るか、または第１のＤＲＸサイクルのオン持続時間期間中に、および第１のＤＲＸサイクルの後の少なくとも１つのＤＲＸサイクルのオン持続時間期間中にすべてのサービングセル上でＰＤＣＣＨを監視し得るか、または第１のＤＲＸサイクルの後の少なくとも１つのＤＲＸサイクルのオン持続時間期間中にすべてのサービングセル上でＰＤＣＣＨを監視し得る。
【０１８５】
加えて、インジケーション情報がＰＤＣＣＨを監視すべきでないことを示すが、以下の場合のうちの少なくとも１つが発生する場合、端末デバイスは第２の処理を実施する。（１）ダウンリンク再送信タイマーが実行状態にある。たとえば、ダウンリンク再送信タイマーはｄｒｘ再送信タイマーＤＬであり得る。（２）アップリンク再送信タイマーが実行状態にある。たとえば、アップリンク再送信タイマーはｄｒｘ再送信タイマーＵＬであり得る。（３）端末デバイスによって送信されるＳＲが保留状態にある。（４）ＲＡＲを正常に受信した後に、端末デバイスが、新しい送信を示すＰＤＣＣＨを受信しない。新しい送信を示すＰＤＣＣＨは、セル無線ネットワーク一時識別情報Ｃ−ＲＮＴＩを使用することによってスクランブルされ、ＲＡＲは、ターゲットランダムアクセスプリアンブルに対する応答であり、ターゲットランダムアクセスプリアンブルは、競合ベースのランダムアクセスプリアンブルに属しない。任意選択で、端末デバイスが第２の処理を実施するときと同時に、端末デバイスは、第１のサービングセルおよび／または少なくとも１つの第２のサービングセルをアクティブにする。
【０１８６】
本出願のこの実施形態において提供される解決策によれば、端末デバイスが第１のサービングセル上でインジケーション情報を受信した後に、インジケーション情報がＰＤＣＣＨを監視すべきでないことを示す場合、端末デバイスは、端末デバイスによってＰＤＣＣＨを監視する電力消費量を低減するために、第１の処理を実施してよく、すなわち、対応してＰＤＣＣＨを監視しなくてよい。
【０１８７】
上記は、端末デバイスおよびネットワークデバイスの視点から、本出願の実施形態において提供される解決策について主に説明している。上記の機能を実装するために、端末デバイスおよびネットワークデバイスはそれぞれ、各機能を実施するための対応するハードウェア構造および／またはソフトウェアモジュールを含むことが理解されよう。当業者は、本明細書に開示される実施形態に関して説明されるアルゴリズムステップが、本出願においてハードウェアまたはハードウェアとコンピュータソフトウェアの組合せによって実装されることが可能であることに容易に気づいているはずである。機能がハードウェアによって実施されるか、またはコンピュータソフトウェアによって駆動されるハードウェアによって実施されるかは、特定の適用例および技術的解決策の設計制約に依存する。当業者は、特定の適用例ごとに説明される機能を実装するために異なる方法を使用してよいが、実装が本出願の範囲を越えると考えられるべきではない。
【０１８８】
本出願の実施形態では、端末デバイスおよびネットワークデバイスは、上記の方法例に基づいて機能モジュールに分割されてよい。たとえば、各機能モジュールが、各対応する機能に基づく分割を通して取得され得るか、または２つ以上の機能が、１つの処理モジュールに一体化され得る。一体化されたモジュールは、ハードウェアの形態で実装され得るか、またはソフトウェア機能モジュールの形態で実装され得る。本出願の実施形態では、モジュールへの分割は例であり、論理的機能分割にすぎず、実際の実装では他の分割であってよいことに留意されたい。
【０１８９】
各機能モジュールが、各対応する機能に基づく分割を通して取得されるとき、図６は、上記の実施形態における端末デバイス６の可能な概略構造図１である。端末デバイスは、受信ユニット６０１および監視ユニット６０２を含む。本出願のこの実施形態では、受信ユニット６０１は、第１のサービングセル上でインジケーション情報を受信するように構成され得る。監視ユニット６０２は、インジケーション情報がＰＤＣＣＨを監視すべきでないことを示す場合に第１の処理を実施することであって、第１の処理が、第１のサービングセル上でＰＤＣＣＨを監視しないこと、少なくとも１つの第２のサービングセル上でＰＤＣＣＨを監視しないこと、第１のサービングセルのためにＰＤＣＣＨを監視しないこと、もしくは少なくとも１つの第２のサービングセルのためにＰＤＣＣＨを監視しないことのうちの少なくとも１つを含む、こと、またはインジケーション情報がＰＤＣＣＨを監視すべきことを示す場合に第２の処理を実施することであって、第２の処理が、第１のサービングセル上でＰＤＣＣＨを監視すること、少なくとも１つの第２のサービングセル上でＰＤＣＣＨを監視すること、第１のサービングセルのためにＰＤＣＣＨを監視すること、もしくは少なくとも１つの第２のサービングセルのためにＰＤＣＣＨを監視することのうちの少なくとも１つを含む、ことを行うように構成される。受信ユニット６０１は、図３の処理３０２、図４の処理４０２、および図５の処理５０２を実施する際に端末デバイスをサポートするように構成される。監視ユニット６０２は、図３の処理３０３または３０４、図４の処理４０３または４０４、および図５の処理５０３または５０４を実施する際に端末デバイスをサポートするように構成される。
【０１９０】
一体化されたユニットが使用されるとき、図７は、上記の実施形態における端末デバイスの可能な概略構造図２である。本出願では、端末デバイスは、処理モジュール７０１、通信モジュール７０２、および記憶モジュール７０３を含み得る。処理モジュール７０１は、端末デバイスのハードウェア装置、アプリケーションソフトウェアなどを制御するように構成される。通信モジュール７０２は、別のデバイスによって送信された命令および／もしくはデータを受け付け、または別のデバイスに端末デバイスのデータを送信するように構成される。記憶モジュール７０３は、端末デバイスのソフトウェアプログラムを記憶し、データを記憶し、ソフトウェアを実行することなどを行うように構成される。処理モジュール７０１は、判定ユニットまたはコントローラであり得、たとえば、中央判定ユニット（ｃｅｎｔｒａｌ  ｐｒｏｃｅｓｓｉｎｇ  ｕｎｉｔ、ＣＰＵ）、汎用判定ユニット、デジタル信号判定ユニット（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブル論理デバイス、トランジスタ論理デバイス、ハードウェアコンポーネント、またはそれらの任意の組合せであり得る。判定ユニットは、本出願に開示される内容に関して説明される様々な例示的な論理ブロック、モジュール、および回路を実装または実行し得る。判定ユニットは、代替として、コンピューティング機能を実装する組合せ、たとえば、１つもしくは複数のマイクロ監視ユニットの組合せ、またはＤＳＰとマイクロ監視ユニットの組合せであってよい。通信モジュール７０２は、トランシーバ、トランシーバ回路、通信インターフェースなどであってよい。記憶モジュール７０３はメモリであってよい。
【０１９１】
可能な設計では、端末デバイスは、図８の構造（装置またはシステム）を使用することによって実装され得る。
【０１９２】
図８は、本出願の実施形態による構造の概略図である。構造８００は、少なくとも１つのプロセッサ８０１、通信バス８０２、メモリ８０３、および少なくとも１つの通信インターフェース８０４を含む。
【０１９３】
プロセッサ８０１は、本出願の解決策においてプログラム実行を制御するように構成されたＣＰＵ、マイクロ監視ユニット、ＡＳＩＣ、または１つもしくは複数の集積回路であり得る。
【０１９４】
通信バス８０２は、上記のコンポーネントとの間で情報を送信するための経路を含み得る。
【０１９５】
通信インターフェース８０４は、トランシーバなどの任意の装置であり、イーサネット、無線アクセスネットワーク（ｒａｄｉｏ  ａｃｃｅｓｓ  ｎｅｔｗｏｒｋ、ＲＡＮ）、またはワイヤレスローカルエリアネットワーク（ｗｉｒｅｌｅｓｓ  ｌｏｃａｌ  ａｒｅａ  ｎｅｔｗｏｒｋ、ＷＬＡＮ）などの別のデバイスまたは通信ネットワークと通信するように構成される。
【０１９６】
メモリ８０３は、読取り専用メモリ（ｒｅａｄ−ｏｎｌｙ  ｍｅｍｏｒｙ、ＲＯＭ）、静的情報および命令を記憶することができる別のタイプの静的記憶デバイス、ランダムアクセスメモリ（ｒａｎｄｏｍ  ａｃｃｅｓｓ  ｍｅｍｏｒｙ、ＲＡＭ）、もしくは情報および命令を記憶することができる別のタイプの動的記憶デバイスであり得るか、または電気消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）もしくは別のコンパクトディスクストレージ、（コンパクトディスク、レーザーディスク、光ディスク、デジタル多用途ディスク、Ｂｌｕ−ｒａｙディスクなどを含む）光ディスクストレージ、磁気ディスク記憶媒体、別の磁気記憶デバイス、または命令もしくはデータ構造の形態で予想されるプログラムコードを搬送もしくは記憶するように構成されることが可能であり、コンピュータによってアクセスされることが可能な任意の他の媒体であり得る。しかしながら、メモリ３０２はそれらに限定されない。メモリは、独立して存在してよく、バスを使用することによって判定ユニットに接続される。代替として、メモリは、判定ユニットに一体化され得る。
【０１９７】
メモリ８０３は、本出願における解決策を実行するためのアプリケーションコードを記憶するように構成され、プロセッサ８０１は実行を制御する。プロセッサ８０１は、メモリ８０３に記憶されたアプリケーションコードを実行して、本特許の方法における機能を実装するように構成される。
【０１９８】
特定の実装では、実施形態において、プロセッサ８０１は、１つまたは複数のＣＰＵ、たとえば、図８のＣＰＵ０およびＣＰＵ１を含み得る。
【０１９９】
特定の実装では、実施形態において、構造８００は、複数のプロセッサ、たとえば、図８のプロセッサ８０１およびプロセッサ８０７を含み得る。プロセッサの各々は、シングルコアプロセッサ（シングルＣＰＵ）であり得るか、またはマルチコアプロセッサ（マルチＣＰＵ）であり得る。本明細書におけるプロセッサは、データ（たとえば、コンピュータプログラム命令）を処理するための１つまたは複数のデバイス、回路、および／または処理コアであり得る。
【０２００】
特定の実装では、実施形態において、構造８００は、出力デバイス８０５および入力デバイス８０６をさらに含み得る。出力デバイス８０５は、プロセッサ８０１と通信し、複数の方式で情報を表示し得る。たとえば、出力デバイス８０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、またはプロジェクタ（ｐｒｏｊｅｃｔｏｒ）であり得る。入力デバイス８０６は、プロセッサ８０１と通信し、複数の方式でユーザの入力を受け付け得る。たとえば、入力デバイス８０６は、マウス、キーボード、タッチスクリーンデバイス、または感知デバイスであり得る。
【０２０１】
特定の実装では、構造８００は、デスクトップコンピュータ、ポータブルコンピュータ、ネットワークサーバ、パームトップコンピュータ（携帯情報端末、ＰＤＡ）、モバイルフォン、タブレットコンピュータ、ワイヤレス端末デバイス、通信デバイス、埋込みデバイス、または図８のそれと同様の構造をもつデバイスであり得る。構造８００のタイプは、本出願のこの実施形態では限定されない。
【０２０２】
各機能モジュールが、各対応する機能に基づく分割を通して取得されるとき、図９は、上記の実施形態におけるネットワークデバイス９の可能な概略構造図１である。ネットワークデバイスは、送信ユニット９０１および処理ユニット９０２を含む。本出願のこの実施形態では、送信ユニット９０１は、第１のサービングセル上でインジケーション情報を送信するように構成され、処理ユニット９０２は、インジケーション情報がＰＤＣＣＨを監視すべきでないことを示す場合に送信ユニットを使用することによって第３の処理を実施することであって、第３の処理が、第１のサービングセル上でＰＤＣＣＨを送信しないこと、少なくとも１つの第２のサービングセル上でＰＤＣＣＨを送信しないこと、第１のサービングセルのためにＰＤＣＣＨを送信しないこと、もしくは少なくとも１つの第２のサービングセルのためにＰＤＣＣＨを送信しないことのうちの少なくとも１つを含む、こと、またはインジケーション情報がＰＤＣＣＨを監視すべきことを示す場合に第４の処理を実施することであって、第４の処理が、第１のサービングセル上でＰＤＣＣＨを送信すること、少なくとも１つの第２のサービングセル上でＰＤＣＣＨを送信すること、第１のサービングセルのためにＰＤＣＣＨを送信すること、もしくは少なくとも１つの第２のサービングセルのためにＰＤＣＣＨを送信することのうちの少なくとも１つを含む、ことを行うように構成される。送信ユニット９０１は、図３の処理３０１、図４の処理４０１、および図５の処理５０１を実施する際にネットワークデバイスをサポートするように構成される。
【０２０３】
一体化されたユニットが使用されるとき、図１０は、上記の実施形態におけるネットワークデバイスの可能な概略構造図２である。本出願では、ネットワークデバイスは、処理モジュール１００１、通信モジュール１００２、および記憶モジュール１００３を含み得る。処理モジュール１００１は、ネットワークデバイスのハードウェア装置、アプリケーションソフトウェアなどを制御するように構成される。通信モジュール１００２は、別のデバイスによって送信された命令を受け付け、または別のデバイスにネットワークデバイスのデータを送信するように構成される。記憶モジュール１００３は、ネットワークデバイスのソフトウェアプログラムを記憶し、データを記憶し、ソフトウェアを実行することなどを行うように構成される。処理モジュール１００１は、判定ユニットまたはコントローラであり得、たとえば、ＣＰＵ、汎用判定ユニット、ＤＳＰ、ＡＳＩＣ、ＦＰＧＡ、別のプログラマブル論理デバイス、トランジスタ論理デバイス、ハードウェアコンポーネント、またはそれらの任意の組合せであり得る。判定ユニットは、本出願に開示される内容に関して説明される様々な例示的な論理ブロック、モジュール、および回路を実装または実行し得る。判定ユニットは、代替として、コンピューティング機能を実装する組合せ、たとえば、１つもしくは複数のマイクロ監視ユニットの組合せ、またはＤＳＰとマイクロ監視ユニットの組合せであってよい。通信モジュール１００２は、トランシーバ、トランシーバ回路、通信インターフェースなどであってよい。記憶モジュール１００３はメモリであってよい。
【０２０４】
可能な設計では、ネットワークデバイスは、図１１の基地局を使用することによって実装され得る。
【０２０５】
図１１は、本出願の実施形態による基地局の概略構造図である。基地局は、部分１１０１および部分１１０２を含む。基地局の部分１１０１は、無線周波数信号を送受信し、無線周波数信号とベースバンド信号との間のコンバージョンを実施するように主に構成される。基地局の部分１１０２は、ベースバンド処理を実施し、基地局を制御することなどを行うように主に構成される。部分１１０１は、トランシーバユニット、トランシーバ、トランシーバ回路、トランシーバなどと通常呼ばれることがある。部分１１０２は通常、基地局の制御センターであり、図３の基地局（すなわち、サービング基地局）によって実施されるステップを実施するように基地局を制御するように構成された、監視ユニットと通常呼ばれることがある。詳細については、関係する部分の上記の説明を参照されたい。
【０２０６】
部分１１０１中のトランシーバユニットは、トランシーバ、トランシーバなどと呼ばれることもあり、アンテナおよび無線周波数ユニットを含む。無線周波数ユニットは、無線周波数処理を実施するように主に構成される。任意選択で、部分１１０１中にあり、受信機能を実装するように構成されたコンポーネントは、受信ユニットと見なされてよく、送信機能を実装するように構成されたコンポーネントは、送信ユニットと見なされてよい。言い換えれば、部分１１０１は、受信ユニットおよび送信ユニットを含む。受信ユニットは、受信機、受信機、受信機回路などと呼ばれることもあり、送信ユニットは、送信機、送信機、送信回路などと呼ばれることがある。
【０２０７】
部分１１０２は、１つまたは複数のボードを含み得る。各ボードは、１つまたは複数の判定ユニットおよび１つまたは複数のメモリを含んでよく、判定ユニットは、メモリ中のプログラムを読み取り、実行して、ベースバンド処理機能および基地局の制御を実装するように構成される。複数のボードがある場合、ボードは、処理能力を向上させるために相互接続されてよい。任意選択の実装では、複数のボードは、１つもしくは複数の判定ユニットを共有し得るか、または複数のボードは、１つもしくは複数のメモリを共有するか、または複数のボードは、１つもしくは複数の判定ユニットを同時に共有する。メモリおよび判定ユニットは、互いに一体化され得るか、または独立して配設され得る。いくつかの実施形態では、部分１１０１および部分１１０２は、互いに一体化され得るか、または独立して配設され得る。加えて、部分１１０２のすべての機能が、実装のために１つのチップに一体化され得るか、またはいくつかの機能が、実装のために１つのチップに一体化され得、いくつかの他の機能が、実装のために１つもしくは複数の他のチップに一体化される。これは、本出願では限定されない。
【０２０８】
当業者は、上記の１つまたは複数の例において、本出願で説明される機能が、ハードウェア、ソフトウェア、ファームウェア、またはそれらの任意の組合せによって実装され得ることに気づいているはずである。機能がソフトウェアによって実装されるとき、機能は、コンピュータ可読媒体に記憶されるか、またはコンピュータ可読媒体中の１つもしくは複数の命令もしくはコードとして送信され得る。コンピュータ可読媒体は、コンピュータ記憶媒体および通信媒体を含む。通信媒体は、コンピュータプログラムが１つの場所から別の場所に送信されることを可能にする任意の媒体を含む。記憶媒体は、汎用または専用コンピュータにとってアクセス可能な任意の利用可能な媒体であり得る。
【０２０９】
本出願の目的、技術的解決策、および有益な効果について、上記の特定の実装において詳細にさらに説明された。上記の説明は、本出願の特定の実装にすぎず、本出願の保護範囲を限定することを意図されていないことを理解されたい。本出願の技術的解決策に基づいて行われるいかなる変更、等価な置換、または改善も、本出願の保護範囲内に入るものである。
【０２１０】
当業者は、本出願の実施形態が、方法、システム、またはコンピュータプログラム製品として提供され得ることを理解すべきである。したがって、本出願の実施形態は、ハードウェアのみの実施形態、ソフトウェアのみの実施形態、またはソフトウェアとハードウェアを組み合わせた実施形態の形態を使用し得る。加えて、本出願の実施形態は、コンピュータ使用可能プログラムコードを含む（限定はされないが、磁気ディスクメモリ、ＣＤ−ＲＯＭ、光メモリなどを含む）１つまたは複数のコンピュータ使用可能記憶媒体上に実装されたコンピュータプログラム製品の形態を使用し得る。
【０２１１】
本出願の実施形態について、本出願の実施形態による方法、デバイス（システム）、およびコンピュータプログラム製品のフローチャートおよび／またはブロック図を参照しながら説明された。コンピュータプログラム命令は、フローチャートおよび／またはブロック図の各手順および／または各ブロック、ならびにフローチャートおよび／またはブロック図の手順および／またはブロックの組合せを実装するために使用され得ることを理解されたい。これらのコンピュータプログラム命令は、別のプログラマブルデータ処理デバイスの汎用コンピュータ、専用コンピュータ、埋込みプロセッサ、または判定ユニットに提供されて、別のプログラマブルデータ処理デバイスのコンピュータまたは判定ユニットによって実行される命令が、フローチャートの１つもしくは複数の手順中の、および／またはブロック図の１つもしくは複数のブロック中の特定の機能を実装するための装置を生成するような機械が生成され得る。
【０２１２】
これらのコンピュータプログラム命令は、代替として、特定の方式で作業するようにコンピュータまたは別のプログラマブルデータ処理デバイスに命令することができるコンピュータ可読メモリに記憶されてよく、それにより、コンピュータ可読メモリに記憶された命令は、命令装置を含むアーティファクトを生成するために使用される。命令装置は、フローチャートの１つもしくは複数の手順中の、および／またはブロック図の１つもしくは複数のブロック中の特定の機能を実装する。
【０２１３】
これらのコンピュータプログラム命令は、代替として、コンピュータまたは別のプログラマブルデータ処理デバイス上にロードされてよく、それにより、一連の動作およびステップが、コンピュータまたは別のプログラマブルデバイス上で実施されて、コンピュータが処理される。したがって、コンピュータまたは別のプログラマブルデバイス上で実行される命令は、フローチャートの１つもしくは複数の手順中の、および／またはブロック図の１つもしくは複数のブロック中の特定の機能を実装するためのステップを提供するために使用される。
【０２１４】
当業者は、本出願の趣旨および範囲から逸脱することなく本出願の実施形態に対して様々な変更および変形を行うことができることが明らかである。したがって、本出願は、本出願の実施形態のこれらの変更および変形が本出願の以下の特許請求の範囲およびそれの等価な技術の範囲内に入るという条件で、これらの変更および変形を包含することを意図されている。
【図１】
2022501894.tif 000003
【図２】
2022501894.tif 000004
【図３】
2022501894.tif 000005
【図３ａ】
2022501894.tif 000006
【図３ｂ】
2022501894.tif 000007
【図３ｃ】
2022501894.tif 000008
【図４】
2022501894.tif 000009
【図４ａ】
2022501894.tif 000010
【図４ｂ】
2022501894.tif 000011
【図５】
2022501894.tif 000012
【図５ａ】
2022501894.tif 000013
【図６】
2022501894.tif 000014
【図７】
2022501894.tif 000015
【図８】
2022501894.tif 000016
【図９】
2022501894.tif 000017
【図１０】
2022501894.tif 000018
【図１１】
2022501894.tif 000019
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
端末デバイスによって実施されるワイヤレス通信方法であって、
第１のサービングセル上でインジケーション情報を受信することと、
前記インジケーション情報が物理ダウンリンク制御チャネル（ＰＤＣＣＨ）を監視すべきでないことを示す場合に、第１の間欠受信（ＤＲＸ）サイクルのオン持続時間期間中に第１の処理を実施することであって、前記第１の処理が、少なくとも１つの第２のサービングセル中でＰＤＣＣＨを監視しないこと、もしくは前記少なくとも１つの第２のサービングセルのためにＰＤＣＣＨを監視しないことのうちの少なくとも１つを含む、こと、または、
前記インジケーション情報がＰＤＣＣＨを監視すべきことを示す場合に、第１の間欠受信（ＤＲＸ）サイクルのオン持続時間期間中に第２の処理を実施することであって、前記第２の処理が、前記少なくとも１つの第２のサービングセル上でＰＤＣＣＨを監視すること、もしくは前記少なくとも１つの第２のサービングセルのためにＰＤＣＣＨを監視することのうちの少なくとも１つを含む、ことと
を含むワイヤレス通信方法。
【請求項２】
前記第１のサービングセル上でインジケーション情報を受信することは、
前記第１のＤＲＸサイクルの前記オン持続時間期間の前に前記第１のサービングセル上で前記インジケーション情報を受信することを含み、
前記第１のＤＲＸサイクルのオン持続時間期間中に第１の処理を実施することは、前記インジケーション情報を受信した後に、前記第１のＤＲＸサイクルの前記オン持続時間期間中に前記第１の処理を実施することを含み、または、
前記第１のＤＲＸサイクルのオン持続時間期間中に第２の処理を実施することは、前記インジケーション情報を受信した後に、前記第１のＤＲＸサイクルの前記オン持続時間期間中に前記第２の処理を実施することを含む、請求項１に記載のワイヤレス通信方法。
【請求項３】
前記第１のＤＲＸサイクルの後の少なくとも１つのＤＲＸサイクルのオン持続時間期間中に前記第１の処理を実施すること、または、
前記第１のＤＲＸサイクルの後の少なくとも１つのＤＲＸサイクルのオン持続時間期間中に前記第２の処理を実施すること
をさらに含む、請求項２に記載のワイヤレス通信方法。
【請求項４】
前記インジケーション情報は、各ビットが少なくとも１つの第２のサービングセルに対応するＰＤＣＣＨを監視すべきでないこと、または、少なくとも１つの第２のサービングセルに対応するＰＤＣＣＨを監視すべきことを示す複数のビットを含むビットマップを含む、請求項１に記載のワイヤレス通信方法。
【請求項５】
前記第１のサービングセルはプライマリセルであり、前記少なくとも１つの第２のサービングセルは、少なくとも１つのセカンダリセルである、請求項１に記載のワイヤレス通信方法。
【請求項６】
前記少なくとも１つの第２のサービングセルは、前記端末デバイスの少なくとも１つのアクティブ化されたセカンダリセルである、請求項１に記載のワイヤレス通信方法。
【請求項７】
前記第１のＤＲＸサイクルの前記オン持続時間期間の前に前記第１のサービングセル上で前記インジケーション情報を受信することは、
第１のタイマーが開始する前に前記第１のサービングセル上で前記インジケーション情報を受信することであって、前記第１のタイマーは、前記第１のＤＲＸサイクルの前記オン持続時間期間の時間長さを判定するように構成されることを含む、請求項２に記載のワイヤレス通信方法。
【請求項８】
前記第１のタイマーは、前記第１のＤＲＸサイクルの前記オン持続時間期間中に実行される、請求項７に記載のワイヤレス通信方法。
【請求項９】
ネットワークデバイスによって実施されるワイヤレス通信方法であって、
第１のサービングセル上でインジケーション情報を送信することと、
前記インジケーション情報がＰＤＣＣＨを監視すべきでないことを示す場合に、第１の間欠受信（ＤＲＸ）サイクルのオン持続時間期間中に第３の処理を実施することであって、前記第３の処理は、
少なくとも１つの第２のサービングセル上でＰＤＣＣＨを送信しないこと、もしくは前記少なくとも１つの第２のサービングセルのためにＰＤＣＣＨを送信しないことのうちの少なくとも１つを含む、こと、または、
前記インジケーション情報がＰＤＣＣＨを監視すべきことを示す場合に第４の処理を実施することであって、前記第４の処理は、前記少なくとも１つの第２のサービングセル上でＰＤＣＣＨを送信すること、もしくは前記少なくとも１つの第２のサービングセルのためにＰＤＣＣＨを送信することのうちの少なくとも１つを含む、ことと
を含む方法。
【請求項１０】
前記第１のサービングセル上でインジケーション情報を送信することは、前記第１のＤＲＸサイクルの前記オン持続時間期間の前に前記第１のサービングセル上で前記インジケーション情報を送信することを含み、
前記インジケーション情報がＰＤＣＣＨを監視すべきではないことを示す場合に第３の処理を実施することは、前記インジケーション情報を送信した後に、前記第１のＤＲＸサイクルの前記オン持続時間期間中に前記第３の処理を実施することを含み、
前記インジケーション情報がＰＤＣＣＨを監視すべきことを示す場合に第４の処理を実施することは、前記インジケーション情報を送信した後に、前記第１のＤＲＸサイクルの前記オン持続時間期間中に前記第４の処理を実施することを含む、請求項９に記載の方法。
【請求項１１】
前記第１のＤＲＸサイクルの後で少なくとも１つのＤＲＸサイクルのオン持続時間期間中に前記第３の処理を実施すること、または、
前記第１のＤＲＸサイクルの後で少なくとも１つのＤＲＸサイクルのオン持続時間期間中に前記第４の処理を実施すること
をさらに含む、請求項１０に記載の方法。
【請求項１２】
前記インジケーション情報は、各ビットが少なくとも１つの第２のサービングセルに対応するＰＤＣＣＨを監視すべきでないこと、または、少なくとも１つの第２のサービングセルに対応するＰＤＣＣＨを監視すべきことを示す複数のビットを含むビットマップを含む、請求項９に記載の方法。
【請求項１３】
前記第１のサービングセルはプライマリセルであり、前記少なくとも１つの第２のサービングセルは、少なくとも１つのセカンダリセルである、請求項９に記載の方法。
【請求項１４】
前記少なくとも１つの第２のサービングセルは、端末デバイスの少なくとも１つのアクティブ化されたセカンダリセルである、請求項９に記載の方法。
【請求項１５】
前記第１のＤＲＸサイクルの前記オン持続時間期間の前に前記第１のサービングセル上で前記インジケーション情報を受信することは、
第１のタイマーが開始する前に前記第１のサービングセル上で前記インジケーション情報を送信することであって、前記第１のタイマーは、前記第１のＤＲＸサイクルの前記オン持続時間期間の時間長さを判定するように構成されることを含む、請求項１０に記載の方法。
【請求項１６】
前記第１のタイマーは、前記第１のＤＲＸサイクルの前記オン持続時間期間中に実行される、請求項１５に記載の方法。
【請求項１７】
請求項１乃至８のいずれか１項に記載のワイヤレス通信方法を実施するように構成された装置。
【請求項１８】
請求項９乃至１６のいずれか１項に記載のワイヤレス通信方法を実施するように構成された装置。
【請求項１９】
コンピュータ可読記憶媒体であって、命令を含み、前記命令がコンピュータ上で実行されたとき、前記コンピュータは、請求項１乃至８のいずれか１項に記載のワイヤレス通信方法を実施することを可能にされるコンピュータ可読記憶媒体。
【請求項２０】
コンピュータ可読記憶媒体であって、命令を含み、前記命令がコンピュータ上で実行されたとき、前記コンピュータは、請求項９乃至１６のいずれか１項に記載のワイヤレス通信方法を実施することを可能にされるコンピュータ可読記憶媒体。
【手続補正２】
【補正対象書類名】明細書
【補正対象項目名】０２０５
【補正方法】変更
【補正の内容】
【０２０５】
図１１は、本出願の実施形態による基地局の概略構造図である。基地局は、部分１１０１および部分１１０２を含む。基地局の部分１１０１は、無線周波数信号を送受信し、無線周波数信号とベースバンド信号との間のコンバージョンを実施するように主に構成される。基地局の部分１１０２は、ベースバンド処理を実施し、基地局を制御することなどを行うように主に構成される。部分１１０１は、トランシーバユニット、トランシーバ回路、トランシーバなどと通常呼ばれることがある。部分１１０２は通常、基地局の制御センターであり、図３の基地局（すなわち、サービング基地局）によって実施されるステップを実施するように基地局を制御するように構成された、監視ユニットと通常呼ばれることがある。詳細については、関係する部分の上記の説明を参照されたい。
【手続補正３】
【補正対象書類名】明細書
【補正対象項目名】０２０６
【補正方法】変更
【補正の内容】
【０２０６】
部分１１０１中のトランシーバユニットは、トランシーバ、トランシーバなどと呼ばれることもあり、アンテナおよび無線周波数ユニットを含む。無線周波数ユニットは、無線周波数処理を実施するように主に構成される。任意選択で、部分１１０１中にあり、受信機能を実装するように構成されたコンポーネントは、受信ユニットと見なされてよく、送信機能を実装するように構成されたコンポーネントは、送信ユニットと見なされてよい。言い換えれば、部分１１０１は、受信ユニットおよび送信ユニットを含む。受信ユニットは、受信セット、受信機、受信機回路などと呼ばれることもあり、送信ユニットは、送信機、送信回路などと呼ばれることがある。
【国際調査報告】
2022501894.tif 000020
2022501894.tif 000021
2022501894.tif 000022
2022501894.tif 000023
2022501894.tif 000024
2022501894.tif 000025